(57)【特許請求の範囲】
【請求項１】
サーバと、該サーバから送信されたＷｅｂページを表示するとともに該ページに含まれているプログラムを実行するユーザ端末とが、電気通信回線により接続されている情報表示システムであって、
前記サーバは、
前記ユーザ端末に実行させる情報表示プログラムを含む情報閲覧ページを記憶する情報閲覧ページ記憶手段と、
前記ユーザ端末からの送信要求に応じて、前記情報閲覧ページを該ユーザ端末に送信する情報閲覧ページ送信手段と、
出発地点及び到着地点の位置情報と、該出発地点及び該到着地点にそれぞれ表示すべき表示情報とを含む表示データの各項目を取得する表示データ取得手段と、
前記ユーザ端末からの送信要求に応じて、前記表示データを該ユーザ端末に送信する表示データ送信手段とを備え、
前記情報表示プログラムは、前記ユーザ端末に、
位置を指定して地図データの送信要求を地図情報管理サーバに送信し、該地図情報管理サーバから該地図データを取得する地図データ取得手段と、
表示データの送信要求を前記サーバに送信し、該サーバから表示データを受信するデータ取得手段と、
前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、
前記サーバから取得した表示データに含まれる到着地点の位置情報をもとに、表示されている地図上で、前記出発地点から該到着地点に向けて、所定の画像を移動させる画像表示手段と、
前記画像が到着地点に到達したとき、該到着地点を含む地図を表示した上で、該到着地点に表示すべき表示情報を該到着地点に対応させて表示する到着地点対応情報表示手段とを、機能として実現させるものであり、
前記サーバは、前記ユーザ端末から前記情報閲覧ページの送信要求を受信したとき、前記情報閲覧ページを該ユーザ端末に送信し、
前記ユーザ端末は、前記サーバから前記情報閲覧ページを受信したとき、前記情報表示プログラムを実行するとともに、
前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示システム。
【請求項２】
サーバと、該サーバから送信されたＷｅｂページを表示するとともに該ページに含まれているプログラムを実行するユーザ端末とが、電気通信回線により接続されている情報表示システムであって、
前記サーバは、
前記ユーザ端末に実行させる情報表示プログラムを含む情報閲覧ページを記憶する情報閲覧ページ記憶手段と、
地図データを記憶する地図データ記憶手段と、
前記ユーザ端末からの送信要求に応じて、前記情報閲覧ページ記憶手段に記憶している前記情報閲覧ページ及び前記地図データ記憶手段に記憶している地図データを該ユーザ端末に送信する情報閲覧ページ送信手段と、
出発地点及び到着地点の位置情報と、該出発地点及び該到着地点にそれぞれ表示すべき表示情報とを含む表示データの各項目を取得する表示データ取得手段と、
前記ユーザ端末からの送信要求に応じて、前記表示データを該ユーザ端末に送信する表示データ送信手段とを備え、
前記情報表示プログラムは、前記ユーザ端末に、
表示データの送信要求を前記サーバに送信し、該サーバから表示データを受信する表示データ取得手段と、
前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、
前記サーバから取得した表示データに含まれる到着地点の位置情報をもとに、表示されている地図上で、前記表示情報が表示されている出発地点から該到着地点に向けて所定の画像を移動させる画像表示手段と、
前記画像が前記到着地点に到達したとき、該到着地点を含む地図を表示した上で、該到着地点に表示すべき表示情報を該到着地点に対応させて表示する到着地点対応情報表示手段とを、機能として実現させるものであり、
前記サーバは、前記ユーザ端末から前記情報閲覧ページ及び前記地図データの送信要求を受信したとき、前記情報閲覧ページ及び前記地図データを前記ユーザ端末に送信し、
前記ユーザ端末は、前記サーバから前記情報閲覧ページ及び前記地図データを受信したとき、該地図データを記憶して、前記情報閲覧ページに含まれる情報表示プログラムを実行するとともに、
前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示システム。
【請求項３】
サーバと、該サーバから送信されたＷｅｂページを表示するとともに該ページに含まれているプログラムを実行するユーザ端末とが、電気通信回線により接続されている情報表示システムであって、
前記サーバは、
前記ユーザ端末に実行させる情報表示プログラムを含む情報閲覧ページを記憶する情報閲覧ページ記憶手段と、
地図データを記憶する地図データ記憶手段と、
前記ユーザ端末からの送信要求に応じて、前記情報閲覧ページ記憶手段に記憶している前記情報閲覧ページを前記ユーザ端末に送信する情報閲覧ページ送信手段と、
出発地点及び到着地点の位置情報と、該出発地点及び該到着地点にそれぞれ表示すべき表示情報とを含む表示データの各項目を取得する表示データ取得手段と、
前記ユーザ端末からの送信要求に応じて、前記地図データ記憶手段に記憶している地図データ及び／又は前記表示データを前記ユーザ端末に送信する情報送信手段とを備え、
前記情報表示プログラムは、前記ユーザ端末に、
位置を指定して前記地図データの送信要求を前記サーバに送信し、該地図データを取得する地図データ取得手段と、
前記表示データの送信要求を前記サーバに送信し、該サーバから表示データを受信するデータ取得手段と、
前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、
前記サーバから取得した表示データに含まれる到着地点の位置情報をもとに、表示されている地図上で、前記表示情報が表示されている出発地点から該到着地点に向けて所定の画像を移動させる画像表示手段と、
前記画像が前記到着地点に到達したとき、該到着地点を含む地図を表示した上で、該到着地点に表示すべき表示情報を該到着地点に対応させて表示する到着地点対応情報表示手段とを、機能として実現させるものであり、
前記サーバは、前記ユーザ端末から前記情報閲覧ページの送信要求を受信したとき、前記情報閲覧ページを前記ユーザ端末に送信し、
前記ユーザ端末は、前記サーバから前記情報閲覧ページを受信したとき、前記情報表示プログラムを実行するとともに、
前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示システム。
【請求項４】
請求項１〜３のいずれかに記載の情報表示システムにおいて、
前記サーバは、複数の表示データを格納する表示データ格納手段を備え、
前記表示データ取得手段は、所定の時間ごとに表示データを取得して前記表示データ格納手段に格納し、
前記表示データ送信手段は、前記ユーザ端末からの表示データの送信要求に応じて、前記表示データ格納手段から表示データを読み出して、該読み出した表示データを該ユーザ端末に送信することを特徴とする情報表示システム。
【請求項５】
請求項１〜４のいずれかに記載の情報表示システムにおいて、
前記表示データ取得手段が取得する表示データの表示情報にはリンク情報が含まれており、
表示された表示情報の関連情報も表示することができることを特徴とする情報表示システム。
【請求項６】
請求項１〜５のいずれかに記載の情報表示システムにおいて、
前記サーバが取得する表示データは、売買された商品を対象とするレビューに関するものであり、前記出発地点は、該商品の販売者の位置であり、前記出発地点に表示すべき表示情報は該商品に関する情報であり、前記到着地点は該レビューを投稿した購入者の位置であり、前記到着地点に表示すべき表示情報は該レビューの記載事項であり、
前記サーバは、レビュー情報を蓄積したサーバから、レビュー情報を取得するレビュー情報取得手段を備え、
前記表示データ取得手段は、該レビュー情報をもとに、レビューを記載した購入者の位置情報と、レビューの記載事項と、商品に関する情報と、販売者の位置情報を取得することを特徴とする情報表示システム。
【請求項７】
請求項１又は３に記載の情報表示システムにおいて、
前記地図データ取得手段は、所定のブロック単位で地図データを取得し、
前記ユーザ端末は、最初に所定位置を含む単位の地図データを取得して、ブラウザのキャッシュに格納し、その後、表示すべき地点を含む単位の地図データがブラウザのキャッシュにない場合に、該表示すべき地点を含む単位の地図データを取得することを特徴とする情報表示システム。
【請求項８】
サーバと電気通信回線により接続されており、該サーバから送信されたＷｅｂページを表示するとともに該ページに含まれているプログラムを実行するユーザ端末における情報表示プログラムであって、
位置を指定して地図データの送信要求を地図情報管理サーバに送信し、該地図情報管理サーバから該地図データを取得する地図データ取得手段と、
表示データの送信要求を前記サーバに送信し、該サーバから表示データを受信するデータ取得手段と、
前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、
前記サーバから取得した表示データに含まれる到着地点の位置情報をもとに、表示されている地図上で、前記出発地点から該到着地点に向けて、所定の画像を移動させる画像表示手段と、
前記画像が到着地点に到達したとき、該到着地点を含む地図を表示した上で、該到着地点に表示すべき表示情報を該到着地点に対応させて表示する到着地点対応情報表示手段とを、ユーザ端末に機能として実現させ、
前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示プログラム。
【請求項９】
請求項８に記載の情報表示プログラムにおいて、
前記画像表示手段は、画像の向きを移動方向に対応させて表示することを特徴とする情報表示プログラム。
【請求項１０】
請求項８又は９に記載の情報表示プログラムにおいて、
さらに、前記出発地点と前記到着地点の中間地点を計算する中間地点計算手段と、
該中間地点を中心とする地図を表示する中間地点地図表示手段を備え、
前記サーバに表示データの送信要求を送信し、表示データを受信して、まず、中間地点を中心とする地図を表示してから、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示プログラム。
【請求項１１】
請求項１０に記載の情報表示プログラムにおいて、
前記出発地点対応情報表示手段は、前記中間地点を中心とする地図上に前記出発地点が含まれないとき、該中間地点を中心とする地図を該出発地点の方向にスクロールさせて該出発地点を表示し、該出発地点に表示すべき表示情報を該出発地点に対応させて表示することを特徴とする情報表示プログラム。
【請求項１２】
請求項１１に記載の情報表示プログラムにおいて、
前記到着地点対応情報表示手段は、前記出発地点を含む地図上に前記到着地点が含まれないとき、該出発地点を含む地図を該到着地点の方向にスクロールさせて該到着地点を表示し、該到着地点に表示すべき表示情報を該到着地点に対応させて表示することを特徴とする情報表示プログラム。
【請求項１３】
請求項１１に記載の情報表示プログラムにおいて、
前記画像表示手段は、移動させる画像が表示している地図から外れるとき、地図を該画像の移動方向にスクロールさせることを特徴とする情報表示プログラム。
【発明の詳細な説明】
【技術分野】
【０００１】
本発明は、ユーザの端末に特定の情報を表示させるシステムに関し、特に、モノやヒトの流れを表示させる処理に関するものである。
【背景技術】
【０００２】
ネットワークを介した商品等の売買取引を支援するサービスとして、仮想商店街管理サービスが知られている（例えば、非特許文献１参照）。
従来、仮想商店街管理サービスにおいては、購入する商品を絞り込む手段として、「キーワード」，「ジャンル」，「レビュー」等が利用されてきた（例えば、非特許文献１，非特許文献２参照）。
【０００３】
＜従来例の説明＞
従来例のシステムにおける注文の受付手順を、図１〜図４を用いて説明する。
（１．システムの構成）
従来例のシステムの構成を、図１に例示する。
図１に示すように、従来例のシステムは、仮想商店街管理サービスを提供する仮想商店街管理システム１０，並びに仮想商店街管理システム１０とインターネット等のネットワーク２０を介して接続している店舗端末３０，会員端末４０及びユーザ端末５０により構成される。
仮想商店街管理システム１０は、店舗情報データベース１１，会員情報データベース１２，商品情報データベース１３及びレビュー情報データベース１４を含むサーバシステムであり、店舗，会員，商品，レビューの情報を管理している。
【０００４】
仮想商店街管理システム１０は、Ｗｅｂサーバの機能を有しており、要求に応じてＷｅｂページの生成・送信処理を行なうことができる。また、仮想商店街管理システム１０は、メールサーバの機能を有しており、必要に応じて電子メールを送信することができる。
店舗端末３０，会員端末４０及びユーザ端末５０は、ブラウザを有しており、ネットワーク２０を介して、仮想商店街管理システム１０が提供する仮想商店街管理サービスを受けることができる。また、店舗端末３０及び会員端末４０は、メーラを有しており、ネットワーク２０を介して仮想商店街管理システム１０が送信した電子メールを受信することができる。
【０００５】
（２．商品の注文手順）
従来例のシステムを利用した商品の注文手順を、図２のシーケンス図，並びに図３及び図４のページ例を用いて説明する。
ここでは、仮想商店街管理システム１０を介して、店舗端末３０の利用者である店舗が販売する商品を、会員端末４０の利用者である会員が注文する場合の手順を示す。
【０００６】
図２に示すように、仮想商店街管理システム１０は、会員端末４０からの要求に応じて会員端末４０に商品の選択ページを送信し、会員に注文するべき商品を選択させる（Ｓ２０５）。会員は、この選択ページにおいて注文するべき商品を選択する。
図３に、商品の選択ページを例示する。会員は、選択ページ３００において、「買い物かごに入れる」と表示されているボタン３１０をクリックすることにより、商品を選択することができる。
【０００７】
同様に、会員は、選択ページ３００において、「会社概要」と表示されているリンク３２０をクリックすることにより、必要に応じて注文しようとしている商品を販売する店舗の概要を確認することができる。
図４に、店舗の紹介ページを例示する。紹介ページ４００には、例えば、店舗名（４１０），責任者（４２０），商号（４３０），店舗所在地（４４０）等が表示される。
【０００８】
図２に戻り、上記選択ページにおいて商品が選択されると、仮想商店街管理システム１０は、会員端末４０にログインページを送信し、注文者となる会員を認証する（Ｓ２１０）。会員は、このログインページに会員ＩＤ及びパスワード等を入力して認証を受ける。
なお、商品の注文者が未登録のユーザであるときは、会員端末４０に会員登録情報の入力ページ等を送信し、注文者に会員登録を求める。
【０００９】
上記ログインページを介して会員認証が完了すると、仮想商店街管理システム１０は、会員端末４０に決済方法の選択ページを送信し、会員に決済方法を選択させる（Ｓ２１５）。会員は、この選択ページにおいて決済方法を選択する。
上記選択ページにおいて決済方法が選択されると、仮想商店街管理システム１０は、会員端末４０に注文内容の確認ページを送信し、会員に注文内容の確認を求める（Ｓ２２０）。会員は、この確認ページに表示される注文内容に間違いがないか確認する。
【００１０】
上記確認ページにおいて注文内容が確認されると、仮想商店街管理システム１０は、会員端末４０に注文の完了ページを送信し、注文を受け付けた旨を注文番号等とともに会員に提示する（Ｓ２２５）。
続いて、仮想商店街管理システム１０は、選択された商品の情報等をもとに注文の受付処理を行なう（Ｓ２３０）。ここでは、注文番号（Ｓ２２５の処理により付与した注文番号）ごとに所定の注文情報を生成し、所定のデータベースに記憶する。
【００１１】
注文の受付処理が完了すると、仮想商店街管理システム１０は、会員端末４０及び店舗端末３０に注文を受け付けた旨の確認メールを送信し、会員（購入者）及び店舗（販売者）に注文を受け付けた旨を通知する（Ｓ２３５，Ｓ２４０）。会員端末４０及び店舗端末３０に対する確認メールは、例えば日次バッチ処理等により一括して送信される。
上記通知を受けると、店舗（担当者）は、店舗端末３０を用いて仮想商店街管理システム１０にログインし、注文内容の確認ページを要求する。店舗端末３０から確認ページの要求があると、仮想商店街管理システム１０は注文内容の確認ページを店舗端末３０に送信する（Ｓ２４５）。店舗（担当者）は、受信した注文内容の確認ページにおいて注文内容を確認する。
【００１２】
（３．商品の絞込手段）
従来例のシステムを利用した商品の絞込手段を、図５〜図１０を用いて提示する。
ここでは、商品を購入しようとしているユーザに対し、どのように商品を絞り込ませるか（どのように会員端末４０に選択ページ３００（図３）を表示させるか）という観点から、次の２通りの手段を示す。
（ａ）「キーワード」又は「ジャンル」の利用・・・（図５，図６）
（ｂ）「レビュー」の利用・・・・・・・・・・・・（図７〜図１０）
【００１３】
（ａ）「キーワード」又は「ジャンル」の利用
図５に、仮想商店街管理サービスのトップページを例示する。トップページ５００は、主として検索条件の指定欄５１０及び商品ジャンルの表示欄５２０により構成されている。
指定欄５１０において、選択欄５１１で検索範囲（例えば、「全商品で」，「ショップで」等）を選択し、入力欄５１２に所望の「キーワード」を入力し、「検索」と表示されているボタン５１３をクリックすると、検索結果の一覧ページ（図示せず）が表示される。
例えば、選択欄５１１で検索範囲「全商品で」を選択し、入力欄５１２に「ラグビーボール」を入力し、ボタン５１３をクリックすると、検索結果の一覧ページ（図示せず）に選択ページ３００（図３）へのリンクが表示される。
【００１４】
一方、表示欄５２０において、いずれかのリンクをクリックして順次階層を辿ると、商品のジャンルを絞り込むことができる。
図６に、特定のジャンルに属する商品の一覧ページを例示する。一覧ページ６００は、「スポーツ・アウトドア」と表示されているリンク５２１（図５）をクリックしてジャンルを絞り込み、その後に表示されるページ（図示せず）において同様の手順により「ラグビー」と表示されているリンク（図示せず）をクリックしたときに表示される。
なお、一覧ページ６００には、選択ページ３００（図３）へのリンク６１０等が表示されている。
【００１５】
（ｂ）「レビュー」の利用
従来例において、「レビュー」とは、商品又はサービス提供者についてユーザが所定のウェブサイトに投稿する感想，評価，画像，映像，その他の情報をいうものとされている（例えば、非特許文献３の第２条（定義）参照）。
一般に、レビューを投稿するのは、例えば従来例のシステムの構成例（図１）において、仮想商店街管理システム１０を介して、店舗端末３０の利用者である店舗が販売する商品を、会員端末４０を利用して購入した会員である。
【００１６】
一方、レビューを閲覧するのは、ユーザ端末５０を利用するユーザであり、通常、取引の当事者とは異なる第三者である。上記の定義等によれば、レビューは実際に商品を購入した会員にしか分からない体験談であるから、同一商品の購入を検討するに際し、第三者にとって有力な情報となることが多い。
なお、会員が、所定の手順（例えば、非特許文献４参照）にしたがい会員端末４０を利用して仮想商店街管理システム１０に投稿したレビューの内容は、レビュー情報データベース１４に順次格納されていく。
【００１７】
図７に、レビュー管理サービスのトップページを例示する。トップページ７００は、例えば、トップページ５００（図５）において「商品の感想」と表示されているリンク５３０がクリックされたときに表示される。
トップページ７００は、主として検索条件の指定欄７１０及び対象商品ジャンルの表示欄７２０により構成されている。この構成により、トップページ５００（図５）において商品を検索し又は絞り込む場合と同様に、レビューも「キーワード」や対象商品の「ジャンル」を用いて絞り込むことができる。
【００１８】
また、レビューを新着順，対象の商品ごと，投稿した会員ごとに表示することもできる。
図８に、新着レビューの一覧ページを例示する。一覧ページ８００は、例えば、トップページ７００（図７）において「新着一覧」と表示されているリンク７３０がクリックされたときに表示される。
図９に、特定の商品を対象とするレビューの一覧ページを例示する。また、図１０に、特定の会員が投稿したレビューの一覧ページを例示する。
一覧ページ８００（図８），一覧ページ９００（図９）又は一覧ページ１０００（図１０）において、例えば「この商品を見る」と表示されているボタン８１０，ボタン９１０又はボタン１０１０等がクリックされると、その商品の選択ページ（例えば、選択ページ３００（図３））が表示される。
【００１９】
＜既存サービスの提示＞
その他、この出願の出願前に、下記のサービス又は技術が知られている。
・ブログ管理サービス（例えば、非特許文献５参照）
・ウェブサイトサムネイル作成ＡＰＩ（例えば、非特許文献６参照）
・商品検索ＡＰＩ（例えば、非特許文献７参照）
・マップサービスＡＰＩ（例えば、非特許文献８，非特許文献９参照）
【００２０】
＜従来例及び既存サービスに関する補足＞
（１．会員の居住地域）
上記サービスのうち、ブログ管理サービスにおいて、各会員は、任意の選択により居住地域（都道府県）を公開している場合がある。
また、会員が自己のブログを開設している場合、その会員がレビューの投稿履歴を公開としていれば、その会員が投稿したレビューの一覧ページに、その会員のブログのトップページへのリンクが表示される。
さらに、会員がレビューの投稿履歴を公開としている場合、レビューが表示される各ページ（例えば、一覧ページ８００（図８），一覧ページ９００（図９）等）のレビューの投稿者の表示部分（例えば、リンク８２０（図８），リンク９２０（図９）等）がその会員が投稿したレビューの一覧ページへのリンクとなる。
【００２１】
なお、会員は、レビューの投稿に際し、投稿者のプロフィールを公開するか否かを任意に選択することができる（例えば、非特許文献４の「ＳＴＥＰ３  レビューを書く」参照）。プロフィールの公開を選択した場合に限り、その会員が投稿したレビューの一覧ページにそのレビューの内容が表示される。
以上をまとめると、会員が任意の選択により、（ア）レビューの投稿履歴を公開とし、（イ）レビューの投稿者のプロフィールを公開とし、（ウ）ブログを開設しており、かつ（エ）ブログのプロフィールページに居住地域を公開している場合に限り、特定のレビューをもとに、公開されているレビュアー（レビューを投稿した会員）の居住地域を特定することができる。
【００２２】
（２．表示例）
図１１に、特定の会員のブログのトップページを例示する。トップページ１１００は、例えば、一覧ページ１０００（図１０）において、「このレビュアーのブログへ」と表示されているボタン１０２０をクリックすると表示される。
図１２に、特定の会員のブログのプロフィールページを例示する。プロフィールページ１２００は、トップページ１１００（図１１）において、「ＰＲＯＦＩＬＥ」と表示されているリンク１１１０をクリックすると表示される。
この例では、会員の居住地域（都道府県）は、プロフィールページ１２００の「住んでいるところ」と表示されている表示欄１２１０に表示される。なお、会員が自己の選択により居住地域の公開を望まないとした場合は、表示欄１２１０に「非公開」と表示される。
【００２３】
【非特許文献１】楽天株式会社、“楽天市場”、[online]、インターネット<URL:http://www.rakuten.co.jp/>
【非特許文献２】楽天株式会社、“みんなのお買い物レビュー”、[online]、インターネット<URL:http://review.rakuten.co.jp/>
【非特許文献３】楽天株式会社、“「みんなのお買い物レビュー」利用規約”、２００７年３月７日制定、[online]、インターネット<URL:http://review.rakuten.co.jp/rule/>
【非特許文献４】楽天株式会社、“レビューの書き方”、[online]、インターネット<URL:http://review.rakuten.co.jp/howto/write/>
【非特許文献５】楽天株式会社、“楽天ブログ”、[online]、インターネット<URL:http://plaza.rakuten.co.jp/>
【非特許文献６】SimpleAPI、“ウェブサイトサムネイル作成ＡＰＩ  β版”、[online]、インターネット<URL:http://img.simpleapi.net/>
【非特許文献７】楽天株式会社、“楽天商品検索ＡＰＩ”、version:2007-10-25、[online]、インターネット<URL:http://webservice.rakuten.co.jp/api/itemsearch/>
【非特許文献８】Google, Inc.、“Ｇｏｏｇｌｅマップ”、[online]、インターネット<URL:http://maps.google.co.jp/>
【非特許文献９】Google, Inc.、“Ｇｏｏｇｌｅ  Ｍａｐｓ  ＡＰＩ”、インターネット<URL:http://code.google.com/apis/maps/>
【発明の開示】
【発明が解決しようとする課題】
【００２４】
本発明は、ユーザの端末の画面に表示させた地図上に、モノやヒトの流れを、出発地点及び到着地点に関連する情報とともに表示させるしくみを提供することを課題とする。
【課題を解決するための手段】
【００２５】
上記課題を解決するため、本発明は、サーバと、該サーバから送信されたＷｅｂページを表示するとともに該ページに含まれているプログラムを実行するユーザ端末とが、電気通信回線により接続されている情報表示システムであって、前記サーバは、前記ユーザ端末に実行させる情報表示プログラムを含む情報閲覧ページを記憶する情報閲覧ページ記憶手段と、前記ユーザ端末からの送信要求に応じて、前記情報閲覧ページを該ユーザ端末に送信する情報閲覧ページ送信手段と、出発地点及び到着地点の位置情報と、該出発地点及び該到着地点にそれぞれ表示すべき表示情報とを含む表示データの各項目を取得する表示データ取得手段と、前記ユーザ端末からの送信要求に応じて、前記表示データを該ユーザ端末に送信する表示データ送信手段とを備え、前記情報表示プログラムは、前記ユーザ端末に、位置を指定して地図データの送信要求を地図情報管理サーバに送信し、該地図情報管理サーバから該地図データを取得する地図データ取得手段と、表示データの送信要求を前記サーバに送信し、該サーバから表示データを受信するデータ取得手段と、前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、前記サーバから取得した表示データに含まれる到着地点の位置情報をもとに、表示されている地図上で、前記出発地点から該到着地点に向けて、所定の画像を移動させる画像表示手段と、前記画像が到着地点に到達したとき、該到着地点を含む地図を表示した上で、該到着地点に表示すべき表示情報を該到着地点に対応させて表示する到着地点対応情報表示手段とを、機能として実現させるものであり、前記サーバは、前記ユーザ端末から前記情報閲覧ページの送信要求を受信したとき、前記情報閲覧ページを該ユーザ端末に送信し、前記ユーザ端末は、前記サーバから前記情報閲覧ページを受信したとき、前記情報表示プログラムを実行するとともに、前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示システムである。
これは、地図情報管理サーバが地図データを記憶しており、プログラムの実行を開始したユーザ端末が該地図情報管理サーバから地図データを取得するように機能するものである。
【００２６】
また、上記課題を解決するため、本発明は、サーバと、該サーバから送信されたＷｅｂページを表示するとともに該ページに含まれているプログラムを実行するユーザ端末とが、電気通信回線により接続されている情報表示システムであって、前記サーバは、前記ユーザ端末に実行させる情報表示プログラムを含む情報閲覧ページを記憶する情報閲覧ページ記憶手段と、地図データを記憶する地図データ記憶手段と、前記ユーザ端末からの送信要求に応じて、前記情報閲覧ページ記憶手段に記憶している前記情報閲覧ページ及び前記地図データ記憶手段に記憶している地図データを該ユーザ端末に送信する情報閲覧ページ送信手段と、出発地点及び到着地点の位置情報と、該出発地点及び該到着地点にそれぞれ表示すべき表示情報とを含む表示データの各項目を取得する表示データ取得手段と、前記ユーザ端末からの送信要求に応じて、前記表示データを該ユーザ端末に送信する表示データ送信手段とを備え、前記情報表示プログラムは、前記ユーザ端末に、表示データの送信要求を前記サーバに送信し、該サーバから表示データを受信する表示データ取得手段と、前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、前記サーバから取得した表示データに含まれる到着地点の位置情報をもとに、表示されている地図上で、前記表示情報が表示されている出発地点から該到着地点に向けて所定の画像を移動させる画像表示手段と、前記画像が前記到着地点に到達したとき、該到着地点を含む地図を表示した上で、該到着地点に表示すべき表示情報を該到着地点に対応させて表示する到着地点対応情報表示手段とを、機能として実現させるものであり、前記サーバは、前記ユーザ端末から前記情報閲覧ページ及び前記地図データの送信要求を受信したとき、前記情報閲覧ページ及び前記地図データを前記ユーザ端末に送信し、前記ユーザ端末は、前記サーバから前記情報閲覧ページ及び前記地図データを受信したとき、該地図データを記憶して、前記情報閲覧ページに含まれる情報表示プログラムを実行するとともに、前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示システムである。
これは、サーバが地図データを記憶しており、ユーザ端末からの送信要求に応じて、該サーバが記憶している地図データを情報閲覧ページとともに送信するように機能するものである。
【００２７】
また、上記課題を解決するため、本発明は、サーバと、該サーバから送信されたＷｅｂページを表示するとともに該ページに含まれているプログラムを実行するユーザ端末とが、電気通信回線により接続されている情報表示システムであって、前記サーバは、前記ユーザ端末に実行させる情報表示プログラムを含む情報閲覧ページを記憶する情報閲覧ページ記憶手段と、地図データを記憶する地図データ記憶手段と、前記ユーザ端末からの送信要求に応じて、前記情報閲覧ページ記憶手段に記憶している前記情報閲覧ページを前記ユーザ端末に送信する情報閲覧ページ送信手段と、出発地点及び到着地点の位置情報と、該出発地点及び該到着地点にそれぞれ表示すべき表示情報とを含む表示データの各項目を取得する表示データ取得手段と、前記ユーザ端末からの送信要求に応じて、前記地図データ記憶手段に記憶している地図データ及び／又は前記表示データを前記ユーザ端末に送信する情報送信手段とを備え、前記情報表示プログラムは、前記ユーザ端末に、位置を指定して前記地図データの送信要求を前記サーバに送信し、該地図データを取得する地図データ取得手段と、前記表示データの送信要求を前記サーバに送信し、該サーバから表示データを受信するデータ取得手段と、前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、前記サーバから取得した表示データに含まれる到着地点の位置情報をもとに、表示されている地図上で、前記表示情報が表示されている出発地点から該到着地点に向けて所定の画像を移動させる画像表示手段と、前記画像が前記到着地点に到達したとき、該到着地点を含む地図を表示した上で、該到着地点に表示すべき表示情報を該到着地点に対応させて表示する到着地点対応情報表示手段とを、機能として実現させるものであり、前記サーバは、前記ユーザ端末から前記情報閲覧ページの送信要求を受信したとき、前記情報閲覧ページを前記ユーザ端末に送信し、前記ユーザ端末は、前記サーバから前記情報閲覧ページを受信したとき、前記情報表示プログラムを実行するとともに、前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示システムである。
これは、サーバが地図データを記憶しており、プログラムの実行を開始したユーザ端末からの送信要求に応じて、該サーバが該記憶している地図データを情報閲覧ページとは別に送信するように機能するものである。
【００２８】
前記サーバは、複数の表示データを格納する表示データ格納手段を備え、前記表示データ取得手段は、所定の時間ごとに表示データを取得して前記表示データ格納手段に格納し、前記表示データ送信手段は、前記ユーザ端末からの表示データの送信要求に応じて、前記表示データ格納手段から表示データを読み出して、該読み出した表示データを該ユーザ端末に送信してもよい。
前記表示データ取得手段が取得する表示データの表示情報にはリンク情報が含まれており、表示された表示情報の関連情報も表示することができるようにしてもよい。
前記サーバが取得する表示データは、売買された商品を対象とするレビューに関するものであり、前記出発地点は、該商品の販売者の位置であり、前記出発地点に表示すべき表示情報は該商品に関する情報であり、前記到着地点は該レビューを投稿した購入者の位置であり、前記到着地点に表示すべき表示情報は該レビューの記載事項であり、前記サーバは、レビュー情報を蓄積したサーバから、レビュー情報を取得するレビュー情報取得手段を備え、前記表示データ取得手段は、該レビュー情報をもとに、レビューを記載した購入者の位置情報と、レビューの記載事項と、商品に関する情報と、販売者の位置情報を取得してもよい。
【００２９】
前記地図データ取得手段は、所定のブロック単位で地図データを取得し、前記ユーザ端末は、最初に所定位置を含む単位の地図データを取得して、ブラウザのキャッシュに格納し、その後、表示すべき地点を含む単位の地図データがブラウザのキャッシュにない場合に、該表示すべき地点を含む単位の地図データを取得してもよい。
【００３０】
また、上記課題を解決するため、本発明は、サーバと電気通信回線により接続されており、該サーバから送信されたＷｅｂページを表示するとともに該ページに含まれているプログラムを実行するユーザ端末における情報表示プログラムであって、位置を指定して地図データの送信要求を地図情報管理サーバに送信し、該地図情報管理サーバから該地図データを取得する地図データ取得手段と、表示データの送信要求を前記サーバに送信し、該サーバから表示データを受信するデータ取得手段と、前記サーバから取得した表示データに含まれる出発地点の位置情報をもとに、該出発地点を含む地図を表示した上で、該出発地点に表示すべき表示情報を該出発地点に対応させて表示する出発地点対応情報表示手段と、前記サーバから取得した表示データに含まれる到着地点の位置情報をもとに、表示されている地図上で、前記出発地点から該到着地点に向けて、所定の画像を移動させる画像表示手段と、前記画像が到着地点に到達したとき、該到着地点を含む地図を表示した上で、該到着地点に表示すべき表示情報を該到着地点に対応させて表示する到着地点対応情報表示手段とを、ユーザ端末に機能として実現させ、前記サーバに表示データの送信要求を送信し、表示データを受信して、出発地点を含む地図上に出発地点に対応する表示情報を表示し、該出発地点から到着地点まで画像を移動させて、該到着地点を含む地図上に該到着地点に対応する表示情報を表示することを繰り返すことを特徴とする情報表示プログラムである。
これは、地図情報管理サーバが地図データを記憶しており、プログラムの実行を開始した前記ユーザ端末に該地図情報管理サーバから地図データを取得するように機能させるプログラムである。
【００３１】
前記画像表示手段は、画像の向きを移動方向に対応させて表示してもよい。
さらに、前記出発地点と前記到着地点の中間地点を計算する中間地点計算手段と、該中間地点を中心とする地図を表示する中間地点地図表示手段を備え、前記サーバに表示データの送信要求を送信し、表示データを受信して、まず、中間地点を中心とする地図を表示してから、出発地点を含む地図上に出発地点に対応する表示情報を表示し、該出発地点から到着地点まで画像を移動させて、該到着地点を含む地図上に該到着地点に対応する表示情報を表示することを繰り返してもよい。
【００３２】
前記出発地点対応情報表示手段は、前記中間地点を中心とする地図上に前記出発地点が含まれないとき、該中間地点を中心とする地図を該出発地点の方向にスクロールさせて該出発地点を表示し、該出発地点に表示すべき表示情報を該出発地点に対応させて表示してもよい。
前記到着地点対応情報表示手段は、前記出発地点を含む地図上に前記到着地点が含まれないとき、該出発地点を含む地図を該到着地点の方向にスクロールさせて該到着地点を表示し、該到着地点に表示すべき表示情報を該到着地点に対応させて表示してもよい。
前記画像表示手段は、移動させる画像が表示している地図から外れるとき、地図を該画像の移動方向にスクロールさせてもよい。
【発明の効果】
【００３３】
本発明のシステムを利用すれば、ユーザの端末の画面に表示させた地図上に、モノやヒトの流れを、出発地点及び到着地点に関連する情報とともに表示させることができる。
これにより、端末を使用するユーザに、モノやヒトがどのように流れているのかを視覚的に提示するとともに、出発地点及び到着地点に関連する情報に注目させることが可能になる。
【００３４】
また、本発明のシステムを利用すれば、ユーザによる能動的な操作に限られていた商品等の絞込手順の一部を、自動化することができる。
これにより、購入する商品を決めていないユーザに対し、商品等の販売を促進することが可能になる。
【発明を実施するための最良の形態】
【００３５】
以降、本発明の実施形態を、図１３〜図３６−３を参照して説明する。
なお、以下の説明中で使用する用語の意義は、それぞれ次の定義のとおりとする。
・店舗…仮想商店街管理サービスに出店登録をしているショップ
・会員…仮想商店街管理サービスの利用登録をしているユーザ
・レビュー…商品又はサービス提供者について会員が所定のウェブサイトに投稿する感想，評価，画像，映像，その他の情報
【００３６】
・出荷情報…表示データの一例、発送側情報と受取側情報との組（図１８（ａ）参照）
・発送側情報…特定の商品を販売した店舗の所在地（出発地点）の位置情報及びその商品に関する情報（図１８（ｂ）参照）
・受取側情報…特定の商品を購入した会員の居住地（到着地点）の位置情報及びその商品に対するレビューの記載事項（図１８（ｃ）参照）
【００３７】
・情報閲覧ページ…ユーザの端末に地図，表示データ（出荷情報）の項目及び画像を表示させるページ
・地図表示領域…情報閲覧ページ内の地図を表示させる領域
・画像表示レイヤ…情報閲覧ページ内の地図表示領域に重なる範囲の前面に動的に生成される画像を表示させるレイヤ
【００３８】
＜実施形態の説明＞
（１．実施形態のシステムの概要）
本実施形態のシステムの概要を、図１３を用いて簡単に説明する。
以下の説明には、「仮想商店街管理サービスを利用して店舗が販売する商品を会員が購入した」という事実を示す情報を、第三者であるユーザが閲覧する場合を例として用いている。
【００３９】
（１−１．実施形態のシステムの構成）
図１３に示すように、本実施形態のシステムは、仮想商店街管理サービスを提供する仮想商店街管理システム１０，並びに仮想商店街管理システム１０とインターネット等のネットワーク２０を介して接続している店舗端末３０，会員端末４０，ユーザ端末５０，情報表示サーバ６０，ブログ管理システム７０及び地図情報提供システム８０により構成される。
なお、従来例のシステムの構成例を示す図（図１）と同一の符号が付されているものは、基本的に同様のものである。また、ブログ管理システム７０及び地図情報提供システム８０は、既存のシステムである（［背景技術］参照）。また、仮想商店街管理システム１０が地図情報提供システム８０の機能を有することとしてもよい。
【００４０】
ユーザ端末５０は、ブラウザを有しており、必要に応じてＷｅｂページの要求・受信・表示処理を行ない、ネットワーク２０を介して仮想商店街管理システム１０や情報表示サーバ６０が提供するサービス（例えば、仮想商店街管理サービス，レビュー管理サービス，出荷情報表示サービス等）を受けることができる。
情報表示サーバ６０は、Ｗｅｂサーバの機能を有しており、要求に応じてＷｅｂページの生成・送信処理を行なうことができる。また、情報表示サーバ６０は、Ｗｅｂブラウザの機能を有しており、必要に応じてＷｅｂページの要求・受信処理を行なうことができる。
【００４１】
（１−２．実施形態のシステムの概要）
本実施形態のシステムは、「仮想商店街管理サービスを利用して店舗が販売する商品を会員が購入した」という事実に関し、その取引対象の商品が販売者たる店舗の所在地から購入者たる会員の居住地まで移動する様子を、商品に関する情報やレビューの記載事項とともに、ユーザ端末５０の画面に表示された地図上に動的に再現させるシステムである。
前提として、店舗端末３０を利用する店舗と会員端末４０を利用する会員との間で、仮想商店街管理システム１０を利用した商品の売買取引が成立しているものとする。また、該取引の成立後、会員は、会員端末４０を利用して、該取引において購入した商品を対象とするレビューを仮想商店街管理システム１０に投稿しているものとする。なお、会員が仮想商店街管理システム１０に投稿したレビューの内容は、レビュー情報（後述）としてレビュー情報データベース１４に格納されている。
【００４２】
（１−３．実施形態のシステムによる処理の概要）
ユーザ端末５０から情報閲覧ページの要求を受信すると、情報表示サーバ６０は、表示処理スクリプトを含む情報閲覧ページをユーザ端末５０に送信する。情報表示サーバ６０から情報閲覧ページを受信すると、ユーザ端末５０は、該情報閲覧ページに含まれる表示処理スクリプトを解釈・実行し、地図情報提供システム８０から地図情報を受信して該ページ上に表示するとともに，情報表示サーバ６０に出荷情報の送信を要求する。
情報表示サーバ６０は、予め、仮想商店街管理システム１０から取得したレビューをもとに仮想商店街管理システム１０又はブログ管理システム７０から必要な項目を取得して出荷情報を生成し、所定の記憶手段に記憶している。ユーザ端末５０から出荷情報の送信要求を受信すると、情報表示サーバ６０は、所定の記憶手段から出荷情報を読み出し、ユーザ端末５０に送信する。情報表示サーバ６０から出荷情報を受信すると、ユーザ端末５０は、取引対象の商品が販売者たる店舗の所在地から購入者たる会員の居住地まで移動する様子を、商品やレビューの内容とともに、地図上に表示する。
【００４３】
（１−４．実施形態のシステムによる処理の特徴）
本実施形態のシステムによる処理の主たる特徴は、ユーザの端末に、下記（ａ）〜（ｆ）の処理を一連のものとして所定のタイミングで連続的に行なわせることにより、仮想商店街管理サービスを利用するユーザに対し、仮想商店街管理サービスにおけるモノやヒトの流れを視覚的に提示する点にある。
なお、「出発地点」は商品の販売者たる店舗の所在地に、「到着地点」は商品の購入者たる会員の居住地域（都道府県）の県庁所在地に、それぞれ対応する地図上の位置を表す。
【００４４】
（ａ）出発地点と到着地点との中間地点が地図表示領域の中心に位置するように、地図をスクロールする。
（ｂ）地図をスクロールして、出発地点を含む地図を表示する。
（ｃ）出発地点に対応付けて、レビューの対象商品の内容が記載された情報ウィンドウ（吹き出し）を表示する。
（ｄ）到着地点の方向に向けられたトラックの画像を、出発地点と到着地点とを両端とする線上で表示・非表示を高速で繰り返して出発地点から到着地点に向かって移動させて表示させることにより、出発地点から到着地点まで一定間隔ごとに移動させる。
（ｅ）地図をスクロールして、到着地点を含む地図を表示する。
（ｆ）到着地点に対応付けて、レビューの内容が記載された情報ウィンドウ（吹き出し）を表示する。
【００４５】
（２．実施形態のシステムが提供するサービスの概要）
本実施形態のシステムが提供する各サービスの概要を、図１３を用いて簡単に説明する。
下記のサービスは、いずれも電気通信回線網（例えば、インターネット等）を介して提供されるものである。
【００４６】
（２−１．仮想商店街管理サービスの概要）
仮想商店街管理サービスは、店舗（出店登録をしているショップ）と会員（利用登録をしているユーザ）との間で行なわれる電気通信回線網（インターネット等）を介した商品等の売買取引を、総合的に支援するサービスである。
仮想商店街管理サービスの提供主体は仮想商店街管理システム１０であり、利用主体は店舗端末３０を利用する店舗及び会員端末４０を利用する会員である。
【００４７】
（２−２．レビュー管理サービスの概要）
レビュー管理サービスは、「仮想商店街管理サービスを利用して店舗が販売する商品を会員が購入した」場合等に、その取引の対象商品についてのレビューを会員端末４０から受け付け、そのレビューの内容を店舗端末３０，会員端末４０又はユーザ端末５０を介して店舗，会員又はユーザに閲覧させるサービスである。
レビュー管理サービスの提供主体は仮想商店街管理システム１０であり、利用主体は店舗端末３０を利用する店舗，会員端末４０を利用する会員，ユーザ端末５０を利用するユーザである。
【００４８】
（２−３．出荷情報表示サービスの概要）
出荷情報表示サービスは、「仮想商店街管理サービスを利用して店舗が販売する商品を会員が購入した」という事実に関し、その取引の対象商品が販売者たる店舗の所在地から購入者たる会員の居住地まで移動する様子を、商品に関する情報やレビューの記載事項とともに、ユーザ端末５０の画面に表示された地図上に動的に再現させるサービスである。
出荷情報表示サービスの提供主体は情報表示サーバ６０であり、利用主体は店舗端末３０を利用する店舗，会員端末４０を利用する会員，ユーザ端末５０を利用するユーザである。
【００４９】
（３．実施形態のシステムの詳細）
本実施形態のシステムの構成を、図１３及び図１４を用いて詳細に説明する。
ここでは、情報閲覧ページの送受信に必要な部分を中心として、特に仮想商店街管理システム１０に構築されているデータベースの内容について詳しく説明する。
なお、本実施形態のシステムの構成要素のうち、従来例のシステムの構成要素（図１）と同一の符号が付されているもの（仮想商店街管理システム１０，店舗端末３０，会員端末４０及びユーザ端末５０）は、基本的に従来例のものと同様である。また、ブログ管理システム７０及び地図情報提供システム８０は、既存のシステムである（［背景技術］参照）。
【００５０】
（３−１．仮想商店街管理システム）
図１３において、仮想商店街管理システム１０は、仮想商店街管理サービスを総合的に管理するサーバシステムであり、店舗情報データベース１１，会員情報データベース１２，商品情報データベース１３及びレビュー情報データベース１４において、それぞれ店舗，会員，商品，レビューに関する情報を管理している。
仮想商店街管理システム１０は、Ｗｅｂサーバの機能を有しており、要求に応じてＷｅｂページの生成・送信等の処理を行なうことができる。また、仮想商店街管理システム１０は、Ｗｅｂブラウザの機能を有しており、必要に応じてＷｅｂページの要求・受信等の処理を行なうことができる。
【００５１】
（３−１（１）．店舗情報データベース）
図１３において、店舗情報データベース１１は、仮想商店街管理サービスに出店登録をしているショップ（店舗）の情報（以下、「店舗情報」という。）を記憶しているデータベースである。
ここでは、本実施形態のシステムに関して必要な部分のみを説明する。
【００５２】
図１４（ａ）に、店舗情報データベース１１の主要な項目を示す。
図１４（ａ）において、「店舗ＩＤ」は、店舗に一意の識別情報である。本実施形態では、店舗ＩＤとしてその店舗のドメイン名を使用している。「店舗名」は、その店舗の名称である。「事業所所在地」は、その店舗の所在地の住所である。「取扱商品コード」は、その店舗が販売する商品の商品コードであり、店舗情報に商品情報（後述）を紐付けている。
【００５３】
（３−１（２）．会員情報データベース）
図１３に戻り、会員情報データベース１２は、仮想商店街管理サービスの利用登録をしているユーザ（会員）の情報（以下、「会員情報」という。）を記憶しているデータベースである。
ここでは、本実施形態のシステムに関して必要な部分のみを説明する。
【００５４】
図１４（ｂ）に、会員情報データベース１２の主要な項目を示す。
図１４（ｂ）において、「会員ＩＤ」は、会員に一意の識別情報である。「パスワード」は、その会員の認証に用いるパスワードである。「ニックネーム」は、その会員がレビューの投稿時等に自己を識別するために用いる名称である。
なお、商品の注文時，レビューの投稿時等に行なう会員の認証（ログイン）には、会員情報の項目のうち「会員ＩＤ」及び「パスワード」を用いる。
【００５５】
同じく、図１４（ｂ）において、「ブログ開設フラグ」は、その会員がブログを開設しているか否かを示すフラグであり、その会員が投稿したレビューの一覧ページにその会員が開設しているブログのトップページへのリンクを表示するか否かの判定に用いる。「ブログトップページＵＲＬ」は、その会員がブログを開設している場合に、そのトップページを識別するＵＲＬである。
同じく、図１４（ｂ）において、「レビューコード」は、その会員が過去に投稿したレビューを識別するレビューコードであり、会員情報にレビュー情報（後述）を紐付けている。「履歴公開フラグ」は、その会員が投稿したレビューの一覧ページ（例えば、一覧ページ１０００（図１０））を公開するように設定しているか否かを示すフラグであり、フラグが立っている場合には上記「レビューコード」に含まれる各レビューコードにより識別されるレビューの内容が、その会員が投稿したレビューの一覧ページに表示される。
【００５６】
（３−１（３）．商品情報データベース）
図１３に戻り、商品情報データベース１３は、仮想商店街管理サービスにおける取引対象の商品の情報（以下、「商品情報」という。）を記憶しているデータベースである。
ここでは、本実施形態のシステムに関して必要な部分のみを説明する。
【００５７】
図１４（ｃ）に、商品情報データベース１３の主要な項目を示す。
図１４（ｃ）において、「商品コード」は、仮想商店街管理サービスにおける取引対象の商品に一意の識別情報である。「商品名」は、その商品の名称である。「販売店舗ＩＤ」は、その商品を販売する店舗の店舗ＩＤであり、商品情報に店舗情報を紐付けている。「商品説明文」は、その商品の内容等の説明文である。「商品価格」は、その商品に設定された単位数量当たりの価格である。
【００５８】
同じく、図１４（ｃ）において、「画像有無フラグ」は、その商品の画像が用意されているか否かを示すフラグである。「商品画像ＵＲＬ」は、その商品の画像が用意されている場合に、その画像を識別するＵＲＬである。「商品選択ページＵＲＬ」は、その商品の選択ページ（例えば、選択ページ３００（図３））を識別するＵＲＬである。
なお、上記項目のうち、「商品名」，「商品説明文」，「商品価格」，「商品画像ＵＲＬ」及び「商品選択ページＵＲＬ」は、商品検索ＡＰＩ（［背景技術］参照）を利用して外部から取得できるようになっている。
【００５９】
（３−１（４）．レビュー情報データベース）
図１３に戻り、レビュー情報データベース１４は、レビュー管理サービスにおいて会員が投稿したレビューの情報（以下、「レビュー情報」という。）を記憶しているデータベースである。
ここでは、本実施形態のシステムに関して必要な部分のみを説明する。
【００６０】
図１４（ｄ）に、レビュー情報データベース１４の主要な項目を示す。
図１４（ｄ）において、「レビューコード」は、レビュー管理サービスにおいて会員が投稿したレビューに一意の識別情報である。「投稿日時」は、そのレビューがレビュー情報データベース１４に記憶された日時であり、仮想商店街管理システム１０が新着レビューの一覧ページ（例えば、一覧ページ８００（図８））の生成時等に利用する。
同じく、図１４（ｄ）において、「対象商品コード」は、そのレビューの対象商品の商品コードであり、レビュー情報に商品情報を紐付けている。「投稿会員ＩＤ」は、そのレビューを投稿した会員の会員ＩＤであり、レビュー情報に会員情報を紐付けている。「プロフィール公開フラグ」は、そのレビューの投稿者の情報を公開するか否かを示すフラグであり、フラグが立っている場合にはそのレビューの内容がその投稿者のレビューの一覧ページに表示される。
【００６１】
同じく、図１４（ｄ）において、「レビュー本文」は、そのレビューの本文である。「画像有無フラグ」は、そのレビューの対象商品の画像が用意されているか否かを示すフラグであり、商品情報データベース１３の「画像有無フラグ」（図１４（ｃ）参照）に対応している。「対象商品画像ＵＲＬ」は、そのレビューの対象商品の画像を識別するＵＲＬであり、商品情報データベース１３の「商品画像ＵＲＬ」（図１４（ｃ）参照）の内容と同一である。
同じく、図１４（ｄ）において、「対象商品選択ページＵＲＬ」は、そのレビューの対象商品の選択ページ（例えば、選択ページ３００（図３））を識別するＵＲＬであり、商品情報データベース１３の「商品選択ページＵＲＬ」の内容と同一である。
【００６２】
（３−２．店舗端末，会員端末，ユーザ端末）
図１３に戻り、店舗端末３０，会員端末４０，ユーザ端末５０は、それぞれ店舗，会員，ユーザが用いる端末である。
店舗端末３０，会員端末４０及びユーザ端末５０は、従来例のものと同様に、ブラウザを有しており、必要に応じてＷｅｂページの要求・受信・表示処理を行ない、ネットワーク２０を介して仮想商店街管理システム１０や情報表示サーバ６０が提供するＷｅｂサービス（例えば、仮想商店街管理サービス，レビュー管理サービス，出荷情報表示サービス等）を受けることができる。
また、店舗端末３０，会員端末４０及びユーザ端末５０が有するブラウザは、スクリプト言語（例えば、ＪａｖａＳｃｒｉｐｔ等）で記述されたプログラムを解釈・実行することができる。
【００６３】
（３−３．情報表示サーバ）
図１３において、情報表示サーバ６０は、出荷情報表示サービスを提供するサーバである。
情報表示サーバ６０は、Ｗｅｂサーバの機能を有しており、要求に応じてＷｅｂページの生成・送信処理を行なうことができる。また、情報表示サーバ６０は、Ｗｅｂブラウザの機能を有しており、必要に応じてＷｅｂページの要求・受信処理を行なうことができる。
なお、情報表示サーバ６０は、機能ごとに複数のサーバで分担処理を行なうこととしてもよい。例えば、ユーザ端末５０に対する応答処理と、出荷情報の生成処理とを別々のサーバに分担して実行させることとしてもよい。
【００６４】
（３−４．ブログ管理システム，地図情報提供システム）
図１３において、ブログ管理システム７０は、ブログ管理サービスを提供するサーバシステムである。また、地図情報提供システム８０は、地図情報提供サービスを提供するサーバシステムであり、地図データを管理している。
なお、ブログ管理システム７０及び地図情報提供システム８０は、既存のシステムである（［背景技術］参照）。また、情報表示サーバ６０が地図情報提供システム８０の機能を有することとしてもよい。
【００６５】
（４．情報表示サーバによる情報閲覧ページ等の送信処理）
情報表示サーバによるユーザ端末に対する応答処理の流れを、図１５のフローチャートを用いて説明する。
以下の説明には、ユーザ端末５０が、情報表示サーバ６０に対し情報閲覧ページの送信要求及び出荷情報の送信要求を順次送信した場合を例として用いている。
なお、図１５には、参照すべき他の図面の番号を示している。
【００６６】
（４−１．情報閲覧ページの送信）
図１５に示すように、ユーザ端末５０から情報閲覧ページ（地図，出荷情報の項目及び画像を表示させるページ）の送信要求を受信する（Ｓ１５０５）と、情報表示サーバ６０は、所定の記憶手段から情報閲覧ページのデータを読み出し、ユーザ端末５０に送信する（Ｓ１５１０）。
ここで送信する情報閲覧ページのデータ（例えば、ＨＴＭＬのファイル）には、スクリプト言語（例えば、ＪａｖａＳｃｒｉｐｔ）で記述されたプログラム（ソース又は該ソースを記述するファイルへの参照）が含まれる。
【００６７】
なお、情報表示サーバ６０が地図情報提供システム８０の機能を有する場合には、情報閲覧ページとともに、日本全体を含む地図データを予めユーザ端末５０に送信しておくこととしてもよい。
この場合には、ユーザ端末５０がプログラムの実行開始後に地図情報提供システム８０に地図データの送信を要求し受信する処理は省略することができる。
【００６８】
（４−２．出荷情報の送信）
情報閲覧ページを受信したユーザ端末５０から出荷情報の送信要求を受信する（Ｓ１５１５）と、情報表示サーバ６０は、予め生成し所定の記憶手段に記憶している出荷情報を該記憶手段より読み出し（Ｓ１５２０）、所定の形式（例えば、ＪＳＯＮ形式）に変換してユーザ端末５０に送信する（Ｓ１５２５）。
なお、ここで送信する出荷情報のデータは、図１８（ａ）に示すように発送側情報と受取側情報との組である（詳細は後述）。
【００６９】
（４−３．応答への対応）
ユーザ端末５０に出荷情報を送信すると、情報表示サーバ６０は、ユーザ端末５０からの出荷情報送信要求を待つ。
一定の時間内にユーザ端末５０からの出荷情報を受信したとき（Ｓ１５３０でＹｅｓ）、情報表示サーバ６０は、所定の記憶手段より出荷情報を改めて読み出し所定の形式に変換して（Ｓ１５２０）、ユーザ端末５０に送信する（Ｓ１５２５）。
【００７０】
なお、ユーザ端末５０は、情報表示サーバ６０に送信する２回目以降の出荷情報送信要求に、直前の所定回（例えば、直前５０回，直前１回）の処理又は直前の所定時間内（例えば、直前１時間以内）に行なわれた処理において表示した出荷情報の識別情報を含める。
これに対し、情報表示サーバ６０は、受信した出荷情報送信要求に識別情報が含まれているとき、所定の記憶手段より読み出す出荷情報から、その識別情報に対応する出荷情報を除外する。
これにより、ユーザ端末５０が出荷情報を繰り返し表示させる場合にも、同内容の出荷情報が連続して表示されないようにすることができる。
【００７１】
一方、一定の時間内にユーザ端末５０からの出荷情報送信要求を受信しないとき（Ｓ１５３０でＮｏ）、情報表示サーバ６０は、処理を終了する。
なお、情報表示サーバ６０は、ユーザ端末５０から出荷情報の送信要求を受信するごとに、出荷情報を生成することとしてもよい。
【００７２】
（５．情報表示サーバによる出荷情報の生成処理）
情報表示サーバによる出荷情報の生成処理の流れを、図１６のフローチャート，図１７のシーケンス図及び図１８の項目例を用いて説明する。
以下の説明には、情報表示サーバ６０が、所定の時間（例えば、１時間）ごとに、出荷情報の生成に必要な項目を、仮想商店街管理システム１０又はブログ管理システム７０において公開されている情報から取得する場合を例として用いている。
【００７３】
なお、図１６及び図１７には、参照すべき他の図面の番号を示している。
また、図１６と図１７とは、情報表示サーバ６０による同一の処理を異なる観点から表現したものであり、同一の符号が付されている処理は同一の処理である。
すなわち、図１６のフローチャートは、情報表示サーバ６０による処理の流れを示している。一方、図１７のシーケンス図は、会員の居住地域（都道府県）を取得することができた場合（Ｓ１６２０及びＳ１６３５でいずれもＹｅｓ）における、情報表示サーバ６０と仮想商店街管理システム１０又はブログ管理システム７０との間のデータの流れを示している。
【００７４】
（５−１．レビューの特定）
図１６及び図１７に示すように、情報表示サーバ６０は、仮想商店街管理システム１０に、新着レビューの一覧ページ（例えば、一覧ページ８００（図８））を要求し、受信する（Ｓ１６０５）。この処理は、所定の時間（例えば、１時間）ごとに行なう。
このとき、情報表示サーバ６０は、上記所定の時間（例えば、１時間）あたりに投稿（更新）される新着レビューの件数（例えば、８０件程度）を勘案し取得漏れが生じないように設定した所定の件数（例えば、１００件）のレビューを、受信した新着レビューの一覧ページから取得し、所定の記憶手段（キャッシュ）に保持しておく。
なお、前回の処理対象との重複分（例えば、２０件程度）のレビューは、投稿者の「ニックネーム」や対象商品の「商品名」等により選別し、今回の処理対象からは除外しておく。
【００７５】
続いて、情報表示サーバ６０は、所定の記憶手段（キャッシュ）に記憶してあるレビューの中から、一のレビューを特定する（Ｓ１６１０）。本実施形態では、ここで、最新のレビューを特定している。
このとき、受信した一覧ページから、そのレビューを投稿した会員の「ニックネーム」，そのレビューの「レビュー本文」及びそのレビューを投稿した会員の「その会員が投稿したレビューの一覧ページのＵＲＬ」を抽出し、所定の記憶手段に一時的に記憶しておく。
【００７６】
（５−２．受取側情報の生成）
続いて、情報表示サーバ６０は、仮想商店街管理システム１０に、上記一時的に記憶している「その会員が投稿したレビューの一覧ページのＵＲＬ」により識別される一覧ページ（例えば、一覧ページ１０００（図１０））を要求し、受信する（Ｓ１６１５）。
このとき、受信した一覧ページにその会員のブログのトップページへのリンクが存在するか否かを判定する（Ｓ１６２０）。
ブログのトップページへのリンクが存在しないとき（Ｓ１６２０でＮｏ），情報表示サーバ６０による処理は、一のレビューを特定する処理（Ｓ１６１０）に戻る。本実施形態では、ここで、所定の記憶手段（キャッシュ）に記憶してあるレビューの中から、まだ処理を行なっていない最新のレビューを特定し、同様の処理を行なう。
【００７７】
一方、ブログのトップページへのリンクが存在するとき（Ｓ１６２０でＹｅｓ），情報表示サーバ６０は、ブログ管理システム７０に、そのトップページ（例えば、トップページ１１００（図１１））を要求し、受信する（Ｓ１６２５）。
このとき、その「ブログトップページのサムネイル画像」を生成し、所定の記憶手段に一時的に記憶しておく。なお、例えば、ウェブサイトサムネイル作成ＡＰＩ（［背景技術］参照）を利用する場合には、この処理（Ｓ１６２５）を省略することができる。
【００７８】
続いて、情報表示サーバ６０は、ブログ管理システム７０に、そのブログのプロフィールページ（例えば、プロフィールページ１２００（図１２））を要求し、受信する（Ｓ１６３０）。
このとき、受信したプロフィールページからその会員の居住地域（都道府県）が抽出できたか否かを判定する（Ｓ１６３５）。
その会員の居住地域（都道府県）が抽出できなかったとき（Ｓ１６３５でＮｏ）、情報表示サーバ６０による処理は、一のレビューを特定する処理（Ｓ１６１０）に戻る。本実施形態では、ここで、所定の記憶手段（キャッシュ）に記憶してあるレビューの中から、まだ処理を行なっていない最新のレビューを特定し、同様の処理を行なう。
【００７９】
一方、その会員の居住地域（都道府県）が抽出できたとき（Ｓ１６３５でＹｅｓ）、情報表示サーバ６０は、その居住地域（都道府県）の県庁所在都市の位置情報（緯度・経度）を取得し、これを「到着地点」の位置情報として所定の記憶手段に一時的に記憶しておく（Ｓ１６４０）。
なお、県庁所在都市名からその位置情報（緯度・経度）を取得する手段としては、次のいずれかを選択することができる。
（ａ）予め所定の記憶手段に記憶しているテーブル（都市名とその位置情報（緯度・経度）とを対応させたもの）を読み出して利用する。
（ｂ）位置情報を取得する必要が生じる都度、既存のジオコーディングサービスを利用する。
【００８０】
以上の処理が完了したところで、情報表示サーバ６０は、所定の記憶領域に一時的に記憶してある各項目をまとめて、受取側情報を生成する（Ｓ１６４５）。このとき、受取側情報に管理用の識別情報を付加する。
生成される受取側情報を、図１８（ｃ）に示す。
【００８１】
（５−３．発送側情報の生成）
図１６及び図１７に戻り、受取側情報を生成すると、続いて、情報表示サーバ６０は、仮想商店街管理システム１０の商品情報データベース１３から、特定したレビュー（Ｓ１６１０の処理で特定したレビュー）の「対象商品の商品名」，「対象商品の商品価格」，「対象商品の商品説明文」，「対象商品の商品画像ＵＲＬ」及び「対象商品の選択ページＵＲＬ」を取得し、所定の記憶手段に一時的に記憶しておく（Ｓ１６５０）。
なお、これらの項目を取得する手段としては、既存の商品検索ＡＰＩ（［背景技術］参照）を利用する。
【００８２】
続いて、情報表示サーバ６０は、仮想商店街管理システム１０にそのレビューの対象商品を販売する店舗の案内ページ（例えば、紹介ページ４００（図４））を要求し、受信する（Ｓ１６５５）。
続いて、情報表示サーバ６０は、受信した案内ページからその店舗の所在地を抽出する（Ｓ１６６０）。さらに、その所在地の位置情報（緯度・経度）を取得し、これを「到着地点」の位置情報として所定の記憶手段に一時的に記憶する（Ｓ１６６５）。
なお、所在地の住所からその位置情報（緯度・経度）を取得する手段としては、既存のジオコーディングサービスを利用する。
【００８３】
以上の処理が完了したところで、情報表示サーバ６０は、所定の記憶領域に一時的に記憶してある各項目をまとめて、発送側情報を生成する（Ｓ１６７０）。このとき、発送側情報に管理用の識別情報を付加する。
生成される発送側情報を、図１８（ｂ）に示す。
【００８４】
（５−４．出荷情報の生成・記憶）
図１６及び図１７に戻り、最後に、情報表示サーバ６０は、既に生成した発送側情報と受取側情報とを識別情報をもとにまとめて、出荷情報を生成し、所定の記憶手段に記憶する（Ｓ１６７５）。
生成・記憶される出荷情報を、図１８（ａ）に示す。
【００８５】
（６．ユーザ端末による出荷情報の表示処理）
ユーザ端末による出荷情報の表示処理の流れを、図１９，図２７，図３５，図３６のフローチャート及び表示例を用いて説明する。
以下の説明には、情報表示サーバ６０から情報閲覧ページ（表示処理スクリプトを含む）を受信したユーザ端末５０が、その表示処理スクリプトを解釈・実行して、画面上に出荷情報を表示させる場合を例として用いている。
【００８６】
本実施形態におけるユーザ端末５０による処理には、表１に示すように複数の形態がある。
すなわち、受信する出荷情報に含まれる発送側情報及び受取側情報の組の件数により実施形態の「１」又は「２」に分かれ、実施形態１及び２のそれぞれが、地図の表示に先立つ条件判断の有無により「ａ」又は「ｂ」に分かれる。
なお、図１９，図２７，図３５及び図３６には、参照すべき他の図面の番号を示している。また、図１９，図２７，図３５，図３６中、同一の符号が付されている処理は同一の処理である。
【００８７】
【表１】
0004909873.tif 000002
【００８８】
（６−１．実施形態１）
実施形態１は、出荷情報に含まれる発送側情報及び受取側情報の組が１件である場合における、ユーザ端末５０による処理である。
実施形態１において情報表示サーバ６０からユーザ端末５０に送信される出荷情報は、図１８（ａ）に示すように１組の発送側情報及び受取側情報により構成される。
なお、この場合、情報表示サーバ６０による出荷情報の生成処理（図１６及び図１７）は、ユーザ端末５０から出荷情報の送信要求を受信するごとに実行してもよい。
【００８９】
（６−２．実施形態２）
一方、実施形態２は、出荷情報に含まれる発送側情報及び受取側情報の組が複数件である場合に対応するための、ユーザ端末５０による処理である。
実施形態２において情報表示サーバ６０からユーザ端末５０に送信される出荷情報は、図３４に示すように複数組の発送側情報及び受取側情報により構成される。
【００９０】
この場合、出荷情報の送信要求を受信してから出荷情報を生成することとすると、送信するまでに要する応答時間（レスポンスタイム）が長くなってしまう。また、情報表示サーバ６０に過度の負荷がかかってしまうため、好ましくない。
そこで、実施形態２では、他のサーバ（図示せず）に出荷情報の生成処理（図１６及び図１７）を随時実行させ、発送側情報及び受取側情報の組を複数まとめた出荷情報を所定の記憶手段に記憶させておくという手段を採用している。
なお、上記他のサーバは、この処理を所定の時間（例えば、１時間）ごとに行なう。
【００９１】
これにより、情報表示サーバ６０は、ユーザ端末５０から出荷情報の送信要求を受信するごとに、所定の記憶手段より上記他のサーバに生成させた出荷情報を読み出して、ユーザ端末５０に送信することができる。
なお、情報表示サーバ６０による出荷情報の生成処理（図１６及び図１７）を、ユーザ端末５０から出荷情報の送信要求を受けるごとに実行することとしてもよい。
【００９２】
（６−３．表示例）
以下の各実施形態の説明には、表２に示すような表示例を用いている。
なお、本実施形態では、仮想商店街管理サービスを利用して取引された商品が出荷される様子を地図上に表示させるという目的を達成するため、地図の縮尺を所定の値（固定値）に設定している。また、仮想商店街管理サービスを利用した取引の当事者双方が、日本国内に所在し又は居住していることを前提としている。
なお、仮想商店街管理サービスを利用した取引の当事者のいずれか一方又は双方が日本国外に所在し又は居住している場合にも、本実施形態のシステムを適用することができる。
【００９３】
表示例Ａは、出発地点（福岡県大牟田市・・・）から到着地点（東京都庁所在地）へ商品（自転車）が出荷される様子を示すものである。
なお、表示例Ａでは、出発地点と到着地点が離れているため、中間地点を中心とする地図（本実施形態で設定している縮尺のもの）の表示領域には、出発地点及び到着地点のいずれもが含まれていない。
【００９４】
一方、表示例Ｂは、出発地点（神奈川県横浜市・・・）から到着地点（三重県庁所在地）へ商品（インクカートリッジ）が出荷される様子を示すものである。
なお、表示例Ｂでは、出発地点と到着地点がさほど離れていないため、中間地点を中心とする地図（本実施形態で設定している縮尺のもの）の表示領域には、出発地点及び到着地点のいずれもが含まれている。
【００９５】
【表２】
0004909873.tif 000003
【００９６】
＜実施形態１ａの説明＞
実施形態１ａにおけるユーザ端末による情報表示処理の流れを、図１９及び図２０のフローチャート並びに図２１〜図２６の表示例（表示例Ａ）を用いて説明する。
以下の説明には、ユーザ端末５０が情報表示サーバ６０に出荷情報を要求した後、情報表示サーバ６０から受信した出荷情報を表示させる場合を例として用いている。
【００９７】
（１ａ−１．情報閲覧ページの受信）
図１９−１に示すように、出荷情報を閲覧しようとする場合、ユーザは、ユーザ端末５０を用いて、情報表示サーバ６０に情報閲覧ページを要求する（Ｓ０２）。
情報表示サーバ６０は、ユーザ端末５０から情報閲覧ページの送信要求を受信する（図１５のＳ１５０５）と、ユーザ端末５０に、表示処理スクリプトの一部を含む情報閲覧ページを送信する（図１５のＳ１５１０）。
【００９８】
なお、情報表示サーバ６０に対する情報閲覧ページの要求は、例えば、ユーザが仮想商店街管理サービスのトップページ（例えば、トップページ５００（図５））又はレビュー管理サービスのトップページ（例えば、トップページ７００（図７））に表示する情報閲覧ページへのリンクをクリックすることにより送信されるようにしておくとよい。
また、ユーザがユーザ端末５０（ブラウザ）に情報閲覧ページのＵＲＬを直接入力することによっても送信することができる。
【００９９】
（１ａ−２．地図データの受信等）
図１９−１に戻り、ユーザ端末５０は、情報表示サーバ６０が送信した情報閲覧ページを受信する（Ｓ０４）と、該ページに含まれる表示処理スクリプトを解釈・実行する。このとき、情報閲覧ページに含まれる表示処理スクリプトの参照ファイルも取得し、同様に解釈・実行する。
まず、ユーザ端末５０は、地図情報提供システム８０に所定の位置（初期値）を中心とする地図データを要求し、受信する（Ｓ０６）。受信した地図は、画面（ブラウザのウィンドウ又はタブ）上の地図表示領域に表示する。
なお、地図データは、所定のブロック単位ごとに送信され、ユーザ端末５０が有するブラウザのキャッシュに格納される。
【０１００】
続いて、ユーザ端末５０は、上記地図表示領域と重なる範囲の前面に画像表示レイヤを生成する（Ｓ０８）。このとき、画像表示レイヤの属性を「非表示」としておく。
続いて、ユーザ端末５０は、地図表示領域の地図上に表示されているもの（例えば、地図上のマーカー，情報ウィンドウ等）をすべて削除する（Ｓ１０）。
【０１０１】
（１ａ−３．出荷情報の受信）
以上の処理が完了したところで、ユーザ端末５０は、情報表示サーバ６０に出荷情報を要求する（Ｓ１２ａ）。
なお、ユーザ端末５０は、情報表示サーバ６０に送信する２回目以降の出荷情報送信要求に、直前の所定回（例えば、直前５０回，直前１回）の処理又は直前の所定時間内（例えば、１時間以内）に行なわれた処理において表示した出荷情報の識別情報を含める。
【０１０２】
情報表示サーバ６０は、ユーザ端末５０から出荷情報の送信要求を受信する（図１５のＳ１５１５）と、所定の記憶手段より出荷情報を読み出し（Ｓ１５２０）、所定の形式に変換してユーザ端末５０に送信する（図１５のＳ１５２５）。ここでは、発送側情報と受取側情報との組が１件分のみ含まれる出荷情報（図１８（ａ））を送信する。
なお、受信した出荷情報送信要求に識別情報が含まれているとき、情報表示サーバ６０は、所定の記憶手段より読み出す出荷情報から、その識別情報に対応する出荷情報を除外する。
図１９−１に戻り、ユーザ端末５０は、情報表示サーバ６０が送信した出荷情報を受信する（Ｓ１２ａ）と、出荷情報に含まれる発送側情報及び受取側情報の各項目を、それぞれ変数に格納する（Ｓ１４ａ）。
【０１０３】
（１ａ−４．地図のスクロール）
続いて、ユーザ端末５０は、発送側情報に含まれる出発地点の位置情報と、受取側情報に含まれる到着地点の位置情報とから、中間地点の位置を算出し（Ｓ２２）、この中間地点が地図表示領域の中心に一致するように、地図をスクロールする（Ｓ２４）。
この場合、ユーザ端末５０は、必要に応じて、地図表示領域に表示されていない範囲の地図データを地図情報提供システム８０から取得する。
【０１０４】
図２１に、情報閲覧ページにおいて中間地点を中心とした地図が地図表示領域に表示されている状態の例を示す。
図２１に示す表示例では、中間地点２１１０が地図表示領域の中心に位置している。
なお、地図をスクロールさせる処理に代えて、一旦地図表示領域中の地図を非表示にした上で、中間地点が地図表示領域の中心に一致する範囲の地図を、改めて地図表示領域に表示させることとしてもよい。
【０１０５】
（１ａ−５．画像の選択）
図１９−１に戻り、続いて、ユーザ端末５０は、出発地点から到着地点まで移動させる画像を選択する（Ｓ２６）。
この処理では、表示させる画像の種類（例えば、トラック，列車，飛行機，船，バス，動物，人物，マスコットキャラクター等）を選択することとしてもよい。また、出発地点と到着地点との位置関係をもとに、表示させる画像の向き（例えば、左向き，右向き等）を選択することとしてもよい。
例えば、図２０のフローチャートは、出発地点と到着地点との位置関係をもとに、４通りの向き（左下向き，左上向き，右下向き，右上向き）から適切な画像を選択する処理の流れを示すものである。
【０１０６】
この場合、ユーザ端末５０は、出発地点の経度，到着地点の経度，出発地点の緯度，到着地点の緯度を、それぞれ数値に変換した上で、例えば、変数lngs，変数lngr，変数lats，変数latrに格納する（Ｓ２６−０２，Ｓ２６−０４，Ｓ２６−０６，Ｓ２６−０８）。
続いて、ユーザ端末５０は、変数lngsが変数lngrより大きいか否かを判定する（Ｓ２６−１０）。これは、出発地点が到着地点より東側に位置するか否かを判断しているに等しい。
【０１０７】
変数lngsが変数lngrより大きいとき（Ｓ２６−１０でＹｅｓ）、続いてユーザ端末５０は、変数latsが変数latrより大きいか否かを判定する（Ｓ２６−１２ａ）。一方、変数lngsが変数lngrより大きいとはいえないとき（Ｓ２６−１０でＮｏ）、続いてユーザ端末５０は、同様に変数latsが変数latrより大きいか否かを判定する（Ｓ２６−１２ｂ）。これらは、出発地点が到着地点より北側に位置するか否かを判断しているに等しい。
【０１０８】
以上の処理の結果、出発地点が到着地点の北東方向に位置するとき（Ｓ２６−１２ａでＹｅｓ）、ユーザ端末５０は、左下向きの画像を選択する（Ｓ２６−１４ａ）。同様に、出発地点が到着地点の南東方向に位置するとき（Ｓ２６−１２ａでＮｏ）、ユーザ端末５０は、左上向きの画像を選択する（Ｓ２６−１４ｂ）。
同様に、出発地点が到着地点の北西方向に位置するとき（Ｓ２６−１２ｂでＹｅｓ）、ユーザ端末５０は、右下向きの画像を選択する（Ｓ２６−１４ｃ）。同様に、出発地点が到着地点の南西方向に位置するとき（Ｓ２６−１２ｂでＮｏ）、ユーザ端末５０は、右上向きの画像を選択する（Ｓ２６−１４ｄ）。
【０１０９】
（１ａ−６．地図のスクロール，発送側情報の表示）
図１９−２に進み、続いて、ユーザ端末５０は、出発地点にマーカーを表示した上で、地図表示領域内に出発地点が表示されるように地図をスクロールする（Ｓ３０ａ）。この処理は、前の処理（Ｓ２６）から所定の時間（例えば、２０００ミリ秒間）経過した後に実行する。
この場合、ユーザ端末５０は、必要に応じて、地図表示領域に表示されていない範囲の地図データ（差分のブロック）を地図情報提供システム８０から取得する。
なお、地図表示領域内に出発地点がすでに表示されている場合には、地図の表示範囲は変化しない。
【０１１０】
図２２に、情報閲覧ページにおいて出発地点が地図表示領域に含まれるように地図をスクロールした後の状態の例を示す。
図２２に示す表示例では、出発地点２２１０が地図表示領域に含まれている。
なお、地図をスクロールさせる処理に代えて、一旦地図表示領域中の地図を非表示にした上で、出発地点が地図表示領域内に含まれる範囲の地図を、改めて地図表示領域に表示させることとしてもよい。
【０１１１】
図１９−２に戻り、続いて、ユーザ端末５０は、発送側情報の各項目（図１８（ｂ））を記載した情報ウィンドウ（吹き出し）を、出発地点に対応付けて表示する（Ｓ３２）。
なお、「対象商品の商品画像ＵＲＬ」については、そのＵＲＬにより識別される画像を取得し、表示する。また、「対象商品の選択ページＵＲＬ」については、情報ウィンドウ中の「商品画像」及び「商品名」のリンク先として用いる。
【０１１２】
図２３に、情報閲覧ページにおいて発送側情報が出発地点に対応付けて表示されている状態の例を示す。
図２３に示す表示例では、出発地点２３１０に対応付けて、発送側情報の各項目（商品画像２３２１，商品名２３２２，商品価格２３２３，商品説明文２３２４）が記載された情報ウィンドウ２３２０が表示されている。
【０１１３】
（１ａ−７．発送側情報に関連するリンクがクリックされた場合）
図１９−２に戻り、情報ウィンドウ中の商品画像及び商品名のリンクがクリックされたとき、ユーザ端末５０は、仮想商店街管理システム１０に、現在表示されている発送側情報に係る商品の選択ページを要求する（Ｓ３２−０２）。この要求には、商品識別情報（例えば、その商品の商品コードに対応するパラメータ）が含まれている。
ユーザ端末５０から商品選択ページの送信要求を受信すると、仮想商店街管理システム１０は、該要求に含まれる商品識別情報に対応する商品の選択ページを生成し、ユーザ端末５０に送信する。
【０１１４】
ユーザ端末５０は、仮想商店街管理システム１０が送信した商品選択ページ（例えば、選択ページ３００（図３））を受信し、ブラウザの新規のウィンドウ（タブ）に表示する（Ｓ３２−０４）。
以降、ユーザ端末５０と仮想商店街管理システム１０との間の新規のウィンドウ（タブ）向けの処理は、背景技術に示した処理と同様である。
【０１１５】
（１ａ−８．画像の移動）
続いて、ユーザ端末５０は、画像を選択する処理（Ｓ２６）で選択した画像を、出発地点から到着地点まで移動させる処理を行なう（Ｓ３４〜Ｓ４４）。この処理は、前の処理（Ｓ３２）から所定の時間（例えば、２０００ミリ秒間）経過した後に実行する。
この処理においては、出発地点と到着地点を両端とする線分を所定の数（例えば、１００）に分割し、出発地点側からｎ番目の地点（例えば、０≦ｎ≦１００）の位置（緯度・経度）に対応する画面表示領域のピクセル座標（Ｙｎ，Ｘｎ）に画像を表示する処理を繰り返している。
なお、出発地点及び到着地点の位置を予めピクセル座標に変換しておき、その両点の座標からｎ番目の地点のピクセル座標を算出することとしてもよい。
【０１１６】
実際の処理は、次のように行なう。
（１）制御変数ｎに０を代入する（Ｓ３４）。
（２）ｎ番目の地点の位置（緯度ｙｎ・経度ｘｎ）を算出する（Ｓ３６）。具体的には、出発地点の経度を変数ｓｔａｒｔｘ，出発地点の緯度を変数ｓｔａｒｔｙ，到着地点の経度を変数ｓｔｏｐｘ，到着地点の緯度を変数ｓｔｏｐｙに代入し、次の式により求める。
ｙｎ＝ｓｔａｒｔｙ＋（ｓｔｏｐｙ−ｓｔａｒｔｙ）×（ｎ／１００）
ｘｎ＝ｓｔａｒｔｘ＋（ｓｔｏｐｘ−ｓｔａｒｔｘ）×（ｎ／１００）
（３）ｎ番目の地点の地図表示領域における位置（緯度ｙｎ・経度ｘｎ）を、画像表示レイヤにおけるピクセル座標（Ｙｎ，Ｘｎ）に変換する（Ｓ３８）。
（４）画像表示レイヤのピクセル座標（Ｙｎ，Ｘｎ）に画像を設定する。このとき、画像表示レイヤの属性を「表示」とする（Ｓ４０）。
（５）「ｎ＝１００」の真偽を判定する（Ｓ４２）。真であればループを抜ける。偽であれば、所定の時間（例えば、５ミリ秒間）経過した後に、画像表示レイヤに設定している画像を消去して画面上に画像を非表示とした上で、ｎにｎ＋１を代入する（Ｓ４４）。
（６）以降、ループを抜けるまで、上記（２）〜（５）を繰り返す。
【０１１７】
図２４に、情報閲覧ページにおいて地図上で出発地点と到着地点とを両端とする線分上を移動する画像が線分上の一地点に表示されている状態の例を示す。
図２４に示す表示例は、出発地点から見て到着地点の方向に向けられたトラックの画像２４１０が、出発地点２４２０を出発して、到着地点（地図の表示範囲外）の方向に向けて移動する様子の一時点の状態を表している。
なお、画像が移動している間は、出発地点２４２０に対応付けて表示されている情報ウィンドウ２４３０は、表示されたままにしておく。
【０１１８】
（１ａ−９．地図のスクロール，受取側情報の表示）
図１９−２に戻り、処理がループを抜けたとき（Ｓ４２でＹｅｓ）、ユーザ端末５０は、出発地点のマーカー及び出発地点に対応付けて表示させていた情報ウィンドウを消去する（Ｓ４６）とともに、画像表示レイヤの属性を「非表示」とする（Ｓ４８）。
図１９−３に進み、続いて、ユーザ端末５０は、到着地点にマーカーを表示した上で、地図表示領域内に到着地点が表示されるように地図をスクロールする（Ｓ５２ａ）。
これらの処理は、処理がループを抜けたとき（Ｓ４２でＹｅｓ）から所定の時間（例えば、２０００ミリ秒間）経過した後に実行する。
【０１１９】
この場合、ユーザ端末５０は、必要に応じて、地図表示領域に表示されていない範囲の地図データ（差分のブロック）を地図情報提供システム８０から取得する。
なお、地図表示領域内に到着地点がすでに表示されている場合には、地図の表示範囲は変化しない。
【０１２０】
図２５に、情報閲覧ページにおいて到着地点が地図表示領域に含まれるように地図をスクロールした後の状態の例を示す。
図２５に示す表示例では、到着地点２５１０が地図表示領域に含まれている。
なお、地図をスクロールさせる処理に代えて、一旦地図表示領域中の地図を非表示にした上で、到着地点が地図表示領域内に含まれる範囲の地図を、改めて地図表示領域に表示させることとしてもよい。
【０１２１】
図１９−３に戻り、続いて、ユーザ端末５０は、到着側情報の各項目（図１８（ｃ））を記載した情報ウィンドウ（吹き出し）を、到着地点に対応付けて表示する（Ｓ５４）。
なお、「投稿会員のブログトップページ画像ＵＲＬ」については、そのＵＲＬにより識別される画像を取得し（既存の「ウェブサイトサムネイル作成ＡＰＩ」（［背景技術］参照）を利用する場合も同様）、表示する。また、「投稿会員のレビュー一覧ページＵＲＬ」については、情報ウィンドウ中の「サムネイル」及び「投稿会員のニックネーム」のリンク先として用いる。
【０１２２】
図２６に、情報閲覧ページにおいて受取側情報が到着地点に対応付けて表示されている状態の例を示す。
図２６に示す表示例では、到着地点２６１０に対応付けて、受取側情報の各項目（サムネイル画像２６２１，ニックネーム２６２２，レビュー本文２６２３）が記載された情報ウィンドウ２６２０が表示されている。
【０１２３】
（１ａ−１０．受取側情報に関連するリンクがクリックされた場合）
図１９−３に戻り、情報ウィンドウ中のサムネイル画像又は投稿会員のニックネームのリンクがクリックされたとき、ユーザ端末５０は、仮想商店街管理システム１０に、現在表示されている受取側情報に係る会員が投稿したレビューの一覧ページを要求する（Ｓ５４−０２）。この要求には、会員識別情報（例えば、その会員の会員ＩＤに対応するパラメータ）が含まれている。
ユーザ端末５０からレビュー一覧ページの送信要求を受信すると、仮想商店街管理システム１０は、該要求に含まれる会員識別情報に対応する会員が投稿したレビューの一覧ページを生成し、ユーザ端末５０に送信する。
【０１２４】
ユーザ端末５０は、仮想商店街管理システム１０が送信したレビュー一覧ページ（例えば、一覧ページ１０００（図１０））を受信し、ブラウザの新規のウィンドウ（タブ）に表示する（Ｓ５４−０４）。
以降、ユーザ端末５０と仮想商店街管理システム１０との間の新規のウィンドウ（タブ）向けの処理は、背景技術に示した処理と同様である。
【０１２５】
（１ａ−１１．地図の初期化，出荷情報の受信）
続いて、ユーザ端末５０は、到着地点のマーカー及び到着地点に対応付けて表示させていた情報ウィンドウを消去する（Ｓ５６）。この処理は、前の処理（Ｓ５４）から所定の時間（例えば、３０００ミリ秒間）経過した後に実行する。
以上の処理が完了すると、ユーザ端末５０は、画像表示レイヤの生成処理（Ｓ０８）に戻る。以降、ユーザ端末５０においては、情報表示サーバ６０から出荷情報を受信して、表示するという一連の処理を繰り返す。
なお、ユーザ端末５０を利用するユーザがブラウザ（ウィンドウ又はタブ）を閉じる操作をしたときは、ユーザ端末５０による表示処理の進捗に関わらず、処理は終了する。
【０１２６】
＜実施形態１ｂの説明＞
実施形態１ｂにおけるユーザ端末による情報表示処理の流れを、実施形態１ａとの差異点を中心に、図２７のフローチャート並びに図２１〜図２６（表示例Ａ）及び図２８〜図３３の表示例（表示例Ｂ）を用いて説明する。
以下の説明には、ユーザ端末５０が情報表示サーバ６０に出荷情報を要求した後、情報表示サーバ６０から受信した出荷情報を表示させる場合を例として用いている。
なお、図２７には、参照すべき他の図面の番号を示している。また、図２７中、図１９と同一の符号が付されている処理は同一の処理であるため、説明を省略する。
【０１２７】
（１ｂ−１．実施形態１ａとの相違点）
実施形態１ｂは、上述の実施形態１ａと、下記（ａ）及び（ｂ）の２点において相違する。その他の点は、実施形態１ａと同様である。
（ａ）中間地点を中心とする地図の表示領域に出発地点が表示されているか否かにより、処理を分岐する（図２７−２のＳ２８〜Ｓ３０ａ，ｂ）。
（ｂ）出発地点が含まれている地図の表示領域に到着地点が表示されているか否かにより、処理を分岐する（図２７−３のＳ５０〜Ｓ５２ａ，ｂ）。
【０１２８】
（１ｂ−２．相違点（ａ）に係る変更部分の処理）
図２７−２に示すように、画像を選択する処理（図２７−１のＳ２６）が終了すると、ユーザ端末５０は、中間地点を中心とする地図の表示領域に出発地点が表示されているか否かを判定する（Ｓ２８）。
この処理は、前の処理（図２７−１のＳ２６）から所定の時間（例えば、２０００ミリ秒間）経過した後に実行する。
【０１２９】
中間地点を中心とする地図の表示領域に出発地点が表示されていないとき（Ｓ２８でＮｏ）、ユーザ端末５０は、出発地点にマーカーを表示した上で、地図表示領域内に出発地点が表示されるように地図をスクロールする（Ｓ３０ａ）。この場合、ユーザ端末５０は、必要に応じて、地図表示領域に表示されていない範囲の地図データ（差分のブロック）を地図情報提供システム８０から取得する。
一方、中間地点を中心とする地図の表示領域に出発地点が表示されているとき（Ｓ２８でＹｅｓ）、ユーザ端末５０は、出発地点にマーカーを表示するのみで、地図のスクロール処理は行なわない（Ｓ３０ｂ）。
【０１３０】
（１ｂ−３．相違点（ｂ）に係る変更部分の処理）
図２７−３に示すように、画像表示レイヤの属性を「非表示」とする処理（図２７−２のＳ４８）が終了すると、ユーザ端末５０は、出発地点が含まれている地図の表示領域に到着地点が表示されているか否かを判定する（Ｓ５０）。
【０１３１】
出発地点が含まれている地図の表示領域に到着地点が表示されていないとき（Ｓ５０でＮｏ）、ユーザ端末５０は、到着地点にマーカーを表示した上で、地図表示領域内に到着地点が表示されるように地図をスクロールする（Ｓ５２ａ）。この場合、ユーザ端末５０は、必要に応じて、地図表示領域に表示されていない範囲の地図データ（差分のブロック）を地図情報提供システム８０から取得する。
一方、出発地点が含まれている地図の表示領域に到着地点が表示されているとき（Ｓ５０でＹｅｓ）、ユーザ端末５０は、到着地点にマーカーを表示するのみで、地図のスクロール処理を行なわない（Ｓ５２ｂ）。
【０１３２】
（１ｂ−４．実施形態１ｂの表示例）
表示例Ａ（図２１〜図２６）は、実施形態１ｂの処理において、地図のスクロールが必要である場合（図２７のＳ２８でＮｏ，Ｓ５０でＮｏの場合）にあてはまる。
一方、表示例Ｂ（図２８〜図３３）は、実施形態１ｂの処理において、地図のスクロールが必要でない場合（図２７のＳ２８でＹｅｓ，Ｓ５０でＹｅｓの場合）にあてはまる。
以下、表示例Ｂ（図２８〜図３３）を用いて、地図のスクロールが必要でない場合の表示例を説明する。
【０１３３】
図２８に、情報閲覧ページにおいて中間地点を中心とした地図が地図表示領域に表示されている状態の例を示す（図２７−１のＳ２４参照）。
図２８に示す表示例では、中間地点２８１０を中心とする地図の表示領域に出発地点２８２０が表示されている（図２７−２のＳ２８でＹｅｓ）。したがって、出発地点を表示するために、改めて地図をスクロールする必要がない。
【０１３４】
図２９に、情報閲覧ページにおいて出発地点が地図表示領域に含まれる地図が表示されている状態の例を示す（図２７−２のＳ３０ｂ参照）。
図２９に示す表示例の表示範囲は、図２８に示す表示の表示範囲と同一であり、出発地点にマーカー２９１０が表示されている。
【０１３５】
図３０に、情報閲覧ページにおいて発送側情報が出発地点に対応付けて表示されている状態の例を示す（図２７−２のＳ３２参照）。
図３０に示す表示例では、図２３（地図のスクロールが必要である場合の表示例）と同様に、出発地点３０１０に対応付けて、発送側情報の各項目（商品画像３０２１，商品名３０２２，商品価格３０２３，商品説明文３０２４）が記載された情報ウィンドウ３０２０が表示されている。
【０１３６】
図３１に、情報閲覧ページにおいて地図上で出発地点と到着地点とを両端とする線分上を移動する画像が線分上の一地点に表示されている状態の例を示す（図２７−２のＳ４０参照）。
図３１に示す表示例では、トラックの画像３１１０が、出発地点３１２０（対応付けて情報ウィンドウ３１３０が表示されている）から到着地点に向けて移動している。また、出発地点３１２０が含まれている地図の表示領域に到着地点３１４０が表示されている（図２７−３のＳ５０でＹｅｓ）。したがって、到着地点を表示するために、改めて地図をスクロールする必要がない。
【０１３７】
図３２に、情報閲覧ページにおいて到着地点が地図表示領域に含まれる地図が表示されている状態の例を示す（図２７−３のＳ５２ｂ参照）。
図３２に示す表示例の表示範囲は、図３１に示す表示の表示範囲と同一であり、到着地点にマーカー３２１０が表示されている。
【０１３８】
図３３に、情報閲覧ページにおいて受取側情報が到着地点に対応付けて表示されている状態の例を示す（図２７−３のＳ５４参照）。
図３３に示す表示例は、図２６（地図のスクロールが必要である場合の表示例）と同様に、到着地点３３１０に対応付けて、受取側情報の各項目（サムネイル画像３３２１，ニックネーム３３２２，レビュー本文３３２３）が記載された情報ウィンドウ３３２０が表示されている。
【０１３９】
＜実施形態２ａの説明＞
実施形態２ａにおけるユーザ端末による情報表示処理の流れを、実施形態１ａとの差異点を中心に、図３５のフローチャートを用いて説明する。
以下の説明には、ユーザ端末５０が情報表示サーバ６０に出荷情報を要求した後、情報表示サーバ６０から受信した出荷情報を表示させる場合を例として用いている。
【０１４０】
なお、図３５には、参照すべき他の図面の番号を示している。
また、図３５中、図１９と同一の符号が付されている処理は同一の処理であるため、説明を省略する。表示例も同一であるため、説明を省略する。
【０１４１】
（２ａ−１．実施形態１ａとの相違点）
実施形態２ａは、上述の実施形態１ａと、下記（ｃ）の１点において相違する。その他の点は、実施形態１ａと同様である。
（ｃ）情報表示サーバ６０から受信する出荷情報に、発送側情報と受取側情報の組が複数件含まれている場合に対応可能とする。
なお、実施形態２ａにおいて情報表示サーバ６０からユーザ端末５０に送信される出荷情報は、図３４に示すように複数組の発送側情報及び受取側情報により構成される。
【０１４２】
（２ａ−２．相違点（ｃ）に係る変更部分の処理）
図３５−１に示すように、ユーザ端末５０は、情報表示サーバ６０に出荷情報を要求する（Ｓ１２ｂ）。
なお、ユーザ端末５０は、情報表示サーバ６０に送信する２回目以降の出荷情報送信要求に、直前の所定回（例えば、直前５０回，直前１回）の処理又は直前の所定時間内（例えば、１時間以内）に行なわれた処理において表示した出荷情報の識別情報を含める。
【０１４３】
情報表示サーバ６０は、ユーザ端末５０から出荷情報の送信要求を受信する（図１５のＳ１５１５）と、所定の記憶手段より所定の組数（例えば、５０組）の出荷情報を読み出し（図１５のＳ１５２０）、所定の形式に変換してユーザ端末５０に送信する（図１５のＳ１５２５）。ここでは、発送側情報と受取側情報との組が複数件分含まれる出荷情報（図３４）を送信する。
なお、受信した出荷情報送信要求に識別情報が含まれているとき、情報表示サーバ６０は、所定の記憶手段より読み出す出荷情報から、その識別情報に対応する出荷情報を除外する。
図３５−１に戻り、ユーザ端末５０は、情報表示サーバ６０が送信した出荷情報を受信する（Ｓ１２ｂ）。
【０１４４】
以上の処理が完了すると、ユーザ端末５０は、出荷情報に含まれる発送側情報と受取側情報との組の数に応じた処理を行なう。
この処理においては、受信した出荷情報に含まれるすべての発送側情報と受取側情報の各項目を配列に格納した上で、処理対象の発送側情報と受取側情報の組が最後のデータか否かを処理前に判定している。
【０１４５】
実際の処理は、次のように行なう。
（１）出荷情報に含まれるすべての発送側情報及び受取側情報の各項目を、それぞれ項目ごとの配列に格納する（図３５−１のＳ１４ｂ）。
（２）変数ｎｕｍを宣言し、出荷情報に含まれる発送側情報と受取側情報との組の数を代入する（図３５−１のＳ１６）。
（３）制御変数ｉｄに１を代入する（図３５−１のＳ１８）。
（４）「ｉｄ＝ｎｕｍ」の真偽を判定する（図３５−１のＳ２０）。真であれば（図３５−１のＳ２０でＹｅｓ）、ループを抜けて画像表示レイヤを生成する処理（図３５−１のＳ０８）に戻る。偽であれば（図３５−１のＳ２０でＮｏ）、表示処理（図３５−１〜図３５−３のＳ２２〜Ｓ５６（実施形態１ａと同様））を行なった上で、ｉｄにｉｄ＋１を代入する（図３５−１のＳ５８）。
（５）以降、ループを抜けるまで、上記（４）を繰り返す。
【０１４６】
＜実施形態２ｂの説明＞
実施形態２ｂは、上述の実施形態１ａと、下記（ａ）〜（ｃ）の３点において相違する。その他の点は、実施形態１ａと同様である。
（ａ）中間地点を中心とする地図の表示領域に出発地点が表示されているか否かにより、処理を分岐する（図３６−２のＳ２８〜Ｓ３０ａ，ｂ）。
（ｂ）出発地点が含まれている地図の表示領域に到着地点が表示されているか否かにより、処理を分岐する（図３６−３のＳ５０〜Ｓ５２ａ，ｂ）。
（ｃ）情報表示サーバ６０から受信する出荷情報に、発送側情報と受取側情報の組が複数件含まれている場合に対応可能とする。
【０１４７】
すなわち、実施形態２ｂは、実施形態１ｂの実施形態１ａとの相違点（上記（ａ）及び（ｂ））と、実施形態２ａの実施形態１ａとの相違点（上記（ｃ））とを組み合わせて、実施形態１ａに適用したものである。
なお、実施形態２ａにおいて情報表示サーバ６０からユーザ端末５０に送信される出荷情報は、図３４に示すように複数組の発送側情報及び受取側情報により構成される。
【０１４８】
実施形態２ｂにおけるユーザ端末による情報表示処理の流れを、図３６のフローチャートに示す。
図３６のフローチャートに示した処理には、ユーザ端末５０が情報表示サーバ６０に出荷情報を要求した後、情報表示サーバ６０から受信した出荷情報を表示させる場合を例として用いている。
【０１４９】
なお、図３６には、参照すべき他の図面の番号を示している。
また、図３６中、図１９，図２７，図３５と同一の符号が付されている処理は同一の処理である。表示例は、実施形態１ｂの説明で示したものと同一である。
【０１５０】
＜利用例の提示＞
（１．ユーザ端末の設置場所）
・事業所の受付
・待合室
・記者会見会場
【０１５１】
（２．ユーザ端末が備えるブラウザ機能の形態）
・通常のＷｅｂブラウザ
・ウィジェット
・スクリーンセーバー
【０１５２】
（３．他のサービスとの連動）
・アフィリエイトサービス
→例えば、ある会員が自己のＷｅｂサイトの一部に地図表示領域を設けて地図等を表示させるように本実施形態のシステムを利用する場合、情報表示サーバ６０は、表示する発送側情報の「対象商品の選択ページＵＲＬ」にその会員の「会員ＩＤ」に対応するパラメータを埋め込んで、出荷情報（表示データ）をユーザ端末５０に送信する。
なお、会員の「会員ＩＤ」に対応するパラメータを作成するためには、その会員に関する情報が必要である。この会員に関する情報としては、仮装商店街管理システム１０が管理している会員情報データベース１２の会員情報を用いてもよいし、別途、情報表示サーバ６０が管理する会員に関する情報を用いてもよい。ただし、仮装商店街管理システム１０が管理している会員情報データベース１２の会員情報を用いる場合には、情報表示サーバ６０が、仮装商店街管理システム１０から会員情報の提供を受ける必要がある。
【０１５３】
＜表示の態様に関する他の実施形態の説明＞
（１．処理のタイミングについて）
上述の各実施形態においては、「所定の時間」の経過後に行なうとして、予め定めたタイミングで処理を行なっている。
例えば、上述の説明中で例示した「所定の時間」によれば、端末上では、概ね次のように一連の処理が行なわれる。
【０１５４】
（１）中間地点の表示
↓（２０００ミリ秒経過後）
（２）出発地点の表示，発送側情報の表示
↓（２０００ミリ秒経過後）
（３）画像の移動
↓（２０００ミリ秒経過後）
（４）到着地点の表示，受取側情報の表示
↓（３０００ミリ秒経過後）
（５）中間地点の表示
（以降、同様）
【０１５５】
これに対し、この「所定の時間」を、ユーザに設定させることとしてもよい。この実施形態によっても、上述の実施形態と同様の効果を奏することができる。
この実施形態は、例えば、画面上に、いくつかの選択肢（例えば、「速い」，「普通」，「ゆっくり」等）を用意したボタン（その他、ラジオボタン，プルダウンメニュー等）を表示させ、ユーザがそのボタンをクリックしたときに上述の「所定の時間」を変更するようにしておくことで実現することができる。
【０１５６】
（２．地図データの取得のタイミングについて）
上述の実施形態においては、情報閲覧ページに含まれるスクリプトの実行を開始した後に、ユーザ端末５０が地図情報提供システム８０に地図データの送信を要求することとしている（図１９−１，図２７−１，図３５−１，図３６−１のＳ０６参照）。また、地図表示領域に表示されていない範囲の地図を表示させる必要が生じるごとに、ユーザ端末５０が地図情報提供システム８０に差分の地図データ（差分のブロック）の送信を要求することとしている。
これに対し、情報表示サーバ６０が地図情報提供システム８０の機能を有することとする場合には、ユーザ端末５０から情報閲覧ページの送信要求を受信した時点で、少なくとも日本全体を含む地図データを情報閲覧ページとともにユーザ端末５０に一括して送信しておくこととしてもよい。この実施形態によっても、上述の実施形態と同様の効果を奏することができる。
なお、この場合、仮想商店街管理サービスを利用した取引の当事者双方が、日本国内に所在し又は居住していることを前提とすれば、ユーザ端末５０は、スクリプトの実行を開始した後に地図データ（又は差分の地図データ）の送信を要求する処理を行なわない。
【０１５７】
（３．中間地点の表示について）
上述の各実施形態においては、発送側情報や受取側情報を表示する前に、中間地点を表示するようにしている（図１９−１，図２７−１，図３５−１，図３６−１のＳ２４参照）。
これに対し、中間地点を表示する処理を省略してもよい。この実施形態によっても、上述の実施形態と同様の効果を奏することができる。
なお、この場合には、中間地点を算出し表示する処理（図１９−１，図２７−１，図３５−１，図３６−１のＳ２２及びＳ２４）を省略する。
【０１５８】
（４．出発地点・到着地点の地図上の位置について）
上述の各実施形態においては、出発地点又は到着地点が地図の表示範囲に含まれ、かつその位置に情報ウィンドウを表示することができる最短の距離分のみ地図をスクロールするようにしている。
これに対し、出発地点又は到着地点が地図の中心に位置するようにスクロールするようにしてもよい。この実施形態によっても、上述の実施形態と同様の効果を奏することができる。
【０１５９】
＜表示の対象に関する他の実施形態の説明＞
（１．情報ウィンドウ中のハイパーリンクについて）
上述の各実施形態においては、情報ウィンドウ中に表示する画像や「商品名」，「ニックネーム」等を、特定のＷｅｂページへのハイパーリンクとして表示している。
これに対し、これらを特定のページへのリンクとせず、単に表示することとしてもよい。この実施形態によっても、少なくとも出発地点及び到着地点に関連する情報に注目させることが可能であるという点においては、上述の実施形態と同様の効果を奏することができる。
ただし、商品等の販売を促進するという効果の点では、情報ウィンドウ中に表示する画像や「商品名」，「ニックネーム」等を、特定のＷｅｂページへのハイパーリンクとして表示する形態の方が望ましい。
【０１６０】
（２．地図上を移動させる画像について）
上述の各実施形態においては、出発地点に対応付けて発送側情報を表示した後、到着地点に対応付けて受取側情報を表示する前に、出発地点から到着地点までトラックの画像を直線的に移動させることとしている（図１９−２，図２７−２，図３５−２，図３６−２のＳ３４〜Ｓ４４参照）。
【０１６１】
これに対し、出発地点から到着地点までトラックの画像を曲線的に移動させることとしてもよい。この実施形態によっても、上述の実施形態と同様の効果を奏することができる。
なお、この場合には、ｎ番目の地点の地図上の位置（緯度，経度）を算出する処理（図１９−２，図２７−２，図３５−２，図３６−２のＳ３６）において、出発地点と到着地点とを両端とする曲線上の位置（緯度，経度）を算出することとする。
【０１６２】
また、出発地点から到着地点まで画像を移動させる処理を省略することとしてもよい。この実施形態によっても、上述の実施形態と同様の効果を奏することができる。
なお、この場合には、出発地点に対応付けて発送側情報を表示し、所定の時間が経過した後、到着地点に対応付けて受取側情報を表示する。
【０１６３】
（３．出荷情報の生成時に特定するレビューについて）
上述の各実施形態においては、出荷情報の生成に利用するレビューとして最新のレビューを利用することとしている（図１６及び図１７のＳ１６１０参照）。
これに対し、下記（ａ）〜（ｃ）のような条件をもとにレビューを特定することとしてもよい。
（ａ）対象商品のジャンルを限定する
（ｂ）対象商品の取扱店舗を限定する
（ｃ）レビューの投稿者を限定する
【０１６４】
これらの実施形態により、上述の実施形態と同様の効果に加え、特に、それぞれ次のような効果を奏することができる。
（ａ）商品の販売促進効果を高めることができる。
（ｂ）自己の店舗案内ページ（例えば、紹介ページ４００（図４））上に表示させることとすれば、宣伝広告効果を高めることができる。
（ｃ）自己のブログのトップページ（例えば、トップページ１１００（図１１））上に表示させることとすれば、宣伝広告効果を高めることができる。
【０１６５】
（４．レビューの対象の変更）
上述の実施形態においては、レビューの対象を仮想商店街管理サービスで取り扱われている商品としている。
これに対し、次の（ａ）〜（ｅ）等他のものを対象とするレビューを利用することとしてもよい。
（ａ）デリバリー（宅配・出前）サービスの対象物
（ｂ）オークションの落札物
（ｃ）パック旅行
（ｄ）施設（ゴルフ場，ホテル等）予約サービスの対象施設
（ｅ）食事予約サービスの対象のメニュー
【０１６６】
なお、上記（ｂ）の場合、取引の当事者（出品者と落札者）が双方とも会員であるという点を考慮して、出発地点（ここでは、出品者の居住地域の県庁所在都市）の位置情報を取得する必要がある。
一方、上記（ｃ）〜（ｅ）の場合、出発地点から到着地点まで現実に移動するのは会員自身であるため、例えば、下記のように各項目を取得・生成するとよい。
【０１６７】
（ｃ）パック旅行の場合の項目例
・出発地点…パック旅行の出発地
・到着地点…パック旅行の目的地
・出発地点に対応付けて表示させる情報…パック旅行の説明文
・到着地点に対応付けて表示させる情報…レビューの内容
【０１６８】
（ｄ）施設予約サービスの対象施設の場合の項目例
・出発地点…会員の居住地域の県庁所在都市
・到着地点…対象施設の所在地
・出発地点に対応付けて表示させる情報…対象施設の説明文
・到着地点に対応付けて表示させる情報…レビューの内容
【０１６９】
（ｅ）食事予約サービスの対象のメニューの場合の項目例
・出発地点…会員の居住地域の県庁所在都市
・到着地点…対象メニューを提供する施設（レストラン等）の所在地
・出発地点に対応付けて表示させる情報…対象メニューの説明文
・到着地点に対応付けて表示させる情報…レビューの内容
【０１７０】
（５．表示の対象の変更）
上述の実施形態においては、特定のレビューをもとに、表示データ（出荷情報）を生成することとしている。
これに対し、例えばプロスポーツチームの試合日程のように、予め定まっている情報を表示の対象とすることとしてもよい。
【０１７１】
この場合、情報表示サーバ６０による出荷情報生成処理に代えて、予め人間が次のような各項目を入力した情報を用意しておくとよい。
・出発地点…そのチームの本拠地（ホーム）
・到着地点…相手チームの本拠地（アウェイ）
・出発地点に対応付けて表示させる情報…そのチームの成績等
・到着地点に対応付けて表示させる情報…相手チームの成績，試合のポイント等
なお、この場合、到着地点に対応付けて表示させる情報のいずれかの項目は、チケット販売サイトのページへのハイパーリンクとして表示するようにしておいてもよい。
【０１７２】
＜その他＞
公開されている情報を、上述の実施形態で示したシステム以外から取得する場合には、取得先のシステムの構成やＡＰＩの内容，取得対象の情報等に合わせて、適宜プログラムを変更する必要がある。
例えば、投稿した会員の居住地がレビューに予めセットされている場合には、直接そのレビューからその会員の居住地の情報を取得することができるので、その会員のブログのプロフィールページから居住地の情報を取得する処理（図１６及び図１７のＳ１６２０〜Ｓ１６３５）は必要ない。
【図面の簡単な説明】
【０１７３】
【図１】（従来例）システムの構成例を示す図である。
【図２】（従来例）商品の注文手順の例を示すシーケンス図である。
【図３】（従来例）商品選択ページの例を示す図である。
【図４】（従来例）店舗案内ページの例を示す図である。
【図５】（従来例）仮想商店街管理サービスのトップページの例を示す図である。
【図６】（従来例）仮想商店街管理サービスにおけるジャンルを利用した商品の選択ページの例を示す図である。
【図７】（従来例）レビュー管理サービスのトップページの例を示す図である。
【図８】（従来例）新着レビューの一覧ページの例を示す図である。
【図９】（従来例）特定の商品を対象とするレビューの一覧ページの例を示す図である。
【図１０】（従来例）特定の会員が投稿したレビューの一覧ページの例を示す図である。
【図１１】（従来例）特定の会員のブログのトップページの例を示す図である。
【図１２】（従来例）特定の会員のブログのプロフィールページの例を示す図である。
【図１３】（実施形態）システムの構成例を示す図である。
【図１４】（実施形態）（ａ）店舗情報，（ｂ）会員情報，（ｃ）商品情報，（ｄ）レビュー情報の主要な項目を示す図である。
【図１５】（実施形態）情報表示サーバによるユーザ端末に対する応答処理の流れを示すフローチャートである。
【図１６】（実施形態）情報表示サーバによる出荷情報の生成処理の流れを示すフローチャートである。
【図１７】（実施形態）情報表示サーバによる出荷情報の生成手順を示すシーケンス図である。
【図１８】（実施形態１）（ａ）出荷情報，（ｂ）発送側情報，（ｃ）受取側情報の主要な項目を示す図である。
【図１９−１】（実施形態１ａ）ユーザ端末による出荷情報の表示処理の流れを示すフローチャートの一部である。
【図１９−２】（実施形態１ａ）ユーザ端末による出荷情報の表示処理の流れを示すフローチャートの一部である。
【図１９−３】（実施形態１ａ）ユーザ端末による出荷情報の表示処理の流れを示すフローチャートの一部である。
【図２０】（実施形態）ユーザ端末による地図上を移動させる画像の選択処理の流れを示すフローチャートである。
【図２１】（表示例Ａ）情報閲覧ページにおいて中間地点を中心とした地図が地図表示領域に表示されている状態の例を示す図である。
【図２２】（表示例Ａ）情報閲覧ページにおいて出発地点が地図表示領域に含まれるように地図をスクロールした後の状態の例を示す図である。
【図２３】（表示例Ａ）情報閲覧ページにおいて発送側情報が出発地点に対応付けて表示されている状態の例を示す図である。
【図２４】（表示例Ａ）情報閲覧ページにおいて地図上で出発地点と到着地点とを両端とする線分上を移動する画像が線分上の一地点に表示されている状態の例を示す図である。
【図２５】（表示例Ａ）情報閲覧ページにおいて到着地点が地図表示領域に含まれるように地図をスクロールした後の状態の例を示す図である。
【図２６】（表示例Ａ）情報閲覧ページにおいて受取側情報が到着地点に対応付けて表示されている状態の例を示す図である。
【図２７−１】（実施形態１ｂ）ユーザ端末による出荷情報の表示処理の流れを示すフローチャートの一部である。
【図２７−２】（実施形態１ｂ）ユーザ端末による出荷情報の表示処理の流れを示すフローチャートの一部である。
【図２７−３】（実施形態１ｂ）ユーザ端末による出荷情報の表示処理の流れを示すフローチャートの一部である。
【図２８】（表示例Ｂ）情報閲覧ページにおいて中間地点を中心とした地図が地図表示領域に表示されている状態の例を示す図である。
【図２９】（表示例Ｂ）情報閲覧ページにおいて出発地点が地図表示領域に含まれる地図が表示されている状態の例を示す図である。
【図３０】（表示例Ｂ）情報閲覧ページにおいて発送側情報が出発地点に対応付けて表示されている状態の例を示す図である。
【図３１】（表示例Ｂ）情報閲覧ページにおいて地図上で出発地点と到着地点とを両端とする線分上を移動する画像が線分上の一地点に表示されている状態の例を示す図である。
【図３２】（表示例Ｂ）情報閲覧ページにおいて到着地点が地図表示領域に含まれる地図が表示されている状態の例を示す図である。
【図３３】（表示例Ｂ）情報閲覧ページにおいて受取側情報が到着地点に対応付けて表示されている状態の例を示す図である。
【図３４】（実施形態２）ユーザ端末に出荷情報を一括して送信する場合のデータ構造の例を示す図である。
【図３５−１】（実施形態２ａ）ユーザ端末による出荷情報の表示処理の流れを示すフローチャートの一部である。
【図３５−２】（実施形態２ａ）ユーザ端末による出荷情報の表示処理の流れを示すフローチャートの一部である。
【図３５−３】（実施形態２ａ）ユーザ端末による出荷情報の表示処理の流れを示すフローチャートの一部である。
【図３６−１】（実施形態２ｂ）ユーザ端末による出荷情報の表示処理の流れを示すフローチャートの一部である。
【図３６−２】（実施形態２ｂ）ユーザ端末による出荷情報の表示処理の流れを示すフローチャートの一部である。
【図３６−３】（実施形態２ｂ）ユーザ端末による出荷情報の表示処理の流れを示すフローチャートの一部である。
【符号の説明】
【０１７４】
１０      仮想商店街管理システム
１１      店舗情報データベース
１２      会員情報データベース
１３      商品情報データベース
１４      レビュー情報データベース
２０      ネットワーク
３０      店舗端末
４０      会員端末
５０      ユーザ端末
６０      情報表示サーバ
７０      ブログ管理システム
８０      地図情報提供システム
３００    商品選択ページ
４００    店舗紹介ページ
５００    仮想商店街管理サービスのトップページ
６００    特定の商品ジャンルに属する商品の一覧ページ
７００    レビュー管理サービスのトップページ
８００    新着レビューの一覧ページ
９００    特定の商品を対象とするレビューの一覧ページ
１０００  特定の会員が投稿したレビューの一覧ページ
１１００  特定の会員のブログトップページ
１２００  特定の会員のブログプロフィールページ
【図１】
0004909873.tif 000004
【図２】
0004909873.tif 000005
【図１３】
0004909873.tif 000006
【図１４】
0004909873.tif 000007
【図１５】
0004909873.tif 000008
【図１６】
0004909873.tif 000009
【図１７】
0004909873.tif 000010
【図１８】
0004909873.tif 000011
【図１９−１】
0004909873.tif 000012
【図１９−２】
0004909873.tif 000013
【図１９−３】
0004909873.tif 000014
【図２０】
0004909873.tif 000015
【図２７−１】
0004909873.tif 000016
【図２７−２】
0004909873.tif 000017
【図２７−３】
0004909873.tif 000018
【図３４】
0004909873.tif 000019
【図３５−１】
0004909873.tif 000020
【図３５−２】
0004909873.tif 000021
【図３５−３】
0004909873.tif 000022
【図３６−１】
0004909873.tif 000023
【図３６−２】
0004909873.tif 000024
【図３６−３】
0004909873.tif 000025
【図３】
0004909873.tif 000026
【図４】
0004909873.tif 000027
【図５】
0004909873.tif 000028
【図６】
0004909873.tif 000029
【図７】
0004909873.tif 000030
【図８】
0004909873.tif 000031
【図９】
0004909873.tif 000032
【図１０】
0004909873.tif 000033
【図１１】
0004909873.tif 000034
【図１２】
0004909873.tif 000035
【図２１】
0004909873.tif 000036
【図２２】
0004909873.tif 000037
【図２３】
0004909873.tif 000038
【図２４】
0004909873.tif 000039
【図２５】
0004909873.tif 000040
【図２６】
0004909873.tif 000041
【図２８】
0004909873.tif 000042
【図２９】
0004909873.tif 000043
【図３０】
0004909873.tif 000044
【図３１】
0004909873.tif 000045
【図３２】
0004909873.tif 000046
【図３３】
0004909873.tif 000047